(57)【要約】  本発明の実施例は、端末デバイスがリソースを選択して傍受し、リソースを選択して報告することができるとともに、リソースの傍受方式とリソースの報告方式を柔軟に決定することができ、Ｒｅｌｅａｓｅ１５及びより高いリリースの通信の要求を満たすことができるリソース報告方法、端末デバイス及びネットワークデバイスを提供する。該方法は、端末デバイスがネットワークデバイスに端末間通信のための第１の無線時間周波数リソースの測定結果を報告することを含み、ここで、該端末デバイスは、ネットワークスケジューリングによる端末間通信リソースモードをサポートする端末デバイスである。
2021516003.tif 000002
【特許請求の範囲】
【請求項１】
端末デバイスがネットワークデバイスに端末間通信のための第１の無線時間周波数リソースの測定結果を報告することを含み、
前記端末デバイスが、ネットワークスケジューリングによる端末間通信リソースモードをサポートする端末デバイスである
ことを特徴とするリソース報告方法。
【請求項２】
前記端末デバイスが前記ネットワークデバイスに前記第１の無線時間周波数リソースの測定結果を報告する前に、前記方法は、さらに、
前記端末デバイスが前記ネットワークデバイスにより構成された第１の構成情報に基づいて、前記第１の無線時間周波数リソースを決定することを含む
ことを特徴とする請求項１に記載のリソース報告方法。
【請求項３】
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項２に記載のリソース報告方法。
【請求項４】
前記第１の構成情報は、第１のインデックスを含み、
前記第１のインデックスは、前記端末デバイスが無線時間周波数リソースの時間位置又は範囲を報告するように指示する
ことを特徴とする請求項２又は３に記載のリソース報告方法。
【請求項５】
前記端末デバイスが前記ネットワークデバイスに前記第１の無線時間周波数リソースの測定結果を報告する前に、前記方法は、さらに、
前記端末デバイスが前記第１の無線時間周波数リソースを決定することを含む
ことを特徴とする請求項１〜４のいずれか１項に記載のリソース報告方法。
【請求項６】
前記端末デバイスが前記第１の無線時間周波数リソースを決定することは、
前記端末デバイスが対象サービスに基づいて前記第１の無線時間周波数リソースを決定することを含む
ことを特徴とする請求項５に記載のリソース報告方法。
【請求項７】
前記端末デバイスが対象サービスに基づいて前記第１の無線時間周波数リソースを決定することは、
前記端末デバイスが対象サービスの周期及び時間オフセットに基づいて前記第１の無線時間周波数リソースを決定することを含む
ことを特徴とする請求項６に記載のリソース報告方法。
【請求項８】
前記端末デバイスが前記第１の無線時間周波数リソースを決定することは、
前記端末デバイスが前記第１の無線時間周波数リソースの時間位置又は範囲を決定すること、
及び／又は、前記端末デバイスが前記第１の無線時間周波数リソースの周波数位置又は幅を決定すること、
及び／又は、前記端末デバイスが前記第１の無線時間周波数リソースの数を決定することを含む
ことを特徴とする請求項５〜７のいずれか１項に記載のリソース報告方法。
【請求項９】
前記端末デバイスが前記ネットワークデバイスに前記第１の無線時間周波数リソースの測定結果を報告する前に、前記方法は、さらに、
前記端末デバイスが第２の無線時間周波数リソースを傍受して前記測定結果を取得することを含む
ことを特徴とする請求項１〜８のいずれか１項に記載のリソース報告方法。
【請求項１０】
前記端末デバイスが前記第２の無線時間周波数リソースを傍受して前記測定結果を取得する前に、前記方法は、さらに、
前記端末デバイスが前記ネットワークデバイスにより構成された第２の構成情報に基づいて、前記第２の無線時間周波数リソースを決定することを含む
ことを特徴とする請求項９に記載のリソース報告方法。
【請求項１１】
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項１０に記載のリソース報告方法。
【請求項１２】
前記第２の構成情報は、
前記端末デバイスが無線時間周波数リソースを傍受する重複周期を指示し、
及び／又は、前記端末デバイスが無線時間周波数リソースを傍受する重複数を指示する
ことを特徴とする請求項１０に記載のリソース報告方法。
【請求項１３】
前記第２の構成情報は、第２のインデックスを含み、
第２のインデックスは、前記端末デバイスが無線時間周波数リソースの時間位置又は範囲を傍受するように指示する
ことを特徴とする請求項１０〜１２のいずれか１項に記載のリソース報告方法。
【請求項１４】
前記端末デバイスが前記第２の無線時間周波数リソースを傍受して前記測定結果を取得する前に、前記方法は、さらに、
前記端末デバイスが前記第２の無線時間周波数リソースを決定することを含む
ことを特徴とする請求項９〜１３のいずれか１項に記載のリソース報告方法。
【請求項１５】
前記端末デバイスが前記第２の無線時間周波数リソースを決定することは、
前記端末デバイスが対象サービスに基づいて前記第２の無線時間周波数リソースを決定することを含む
ことを特徴とする請求項１４に記載のリソース報告方法。
【請求項１６】
前記端末デバイスが対象サービスに基づいて前記第２の無線時間周波数リソースを決定することは、
前記端末デバイスが対象サービスの周期及び時間オフセットに基づいて前記第２の無線時間周波数リソースを決定することを含む
ことを特徴とする請求項１５に記載のリソース報告方法。
【請求項１７】
前記端末デバイスが前記第２の無線時間周波数リソースを決定することは、
前記端末デバイスが前記第２の無線時間周波数リソースの時間位置又は範囲を決定すること、
及び／又は、前記端末デバイスが前記第２の無線時間周波数リソースの周波数位置又は幅を決定すること、
及び／又は、前記端末デバイスが前記第２の無線時間周波数リソースの数を決定することを含む
ことを特徴とする請求項１４〜１６のいずれか１項に記載のリソース報告方法。
【請求項１８】
前記端末デバイスが前記第２の無線時間周波数リソースを決定することは、
前記端末デバイスが前記第２の無線時間周波数リソースの重複周期を決定すること、
及び／又は、前記端末デバイスが前記第２の無線時間周波数リソースの重複数を決定すること、含む
ことを特徴とする請求項１４〜１７のいずれか１項に記載のリソース報告方法。
【請求項１９】
前記端末デバイスが第２の無線時間周波数リソースを傍受して前記測定結果を取得することは、
前記端末デバイスが前記第２の無線時間周波数リソースを周期的に傍受して、前記測定結果を取得することを含む
ことを特徴とする請求項９〜１８のいずれか１項に記載のリソース報告方法。
【請求項２０】
傍受の周期は、前記ネットワークデバイスにより構成されたものである
ことを特徴とする請求項１９に記載のリソース報告方法。
【請求項２１】
傍受の周期は、前記端末デバイスにより構成されたものである
ことを特徴とする請求項１９に記載のリソース報告方法。
【請求項２２】
前記傍受の周期が前記端末デバイスにより構成されたものであることは、
傍受の周期は、前記端末デバイスが対象サービスに基づいて決定したものであることを含む
ことを特徴とする請求項２１に記載のリソース報告方法。
【請求項２３】
前記端末デバイスが第２の無線時間周波数リソースを傍受して前記測定結果を取得することは、
サービスの属性が変更される場合、前記端末デバイスが第２の無線時間周波数リソースを傍受して前記測定結果を取得することを含む
ことを特徴とする請求項９〜１８のいずれか１項に記載のリソース報告方法。
【請求項２４】
サービスの属性が変更されることは、
新しいサービスを伝送すること、
及び／又は、既存サービスの周期、時間オフセット、パケットの大きさ及び優先度のうちの少なくとも１つが変更されること、
及び／又は、既存サービスが完了することを含む
ことを特徴とする請求項２３に記載のリソース報告方法。
【請求項２５】
前記端末デバイスが第２の無線時間周波数リソースを傍受して前記測定結果を取得することは、
対象リソースの属性が変更される場合、前記端末デバイスが前記第２の無線時間周波数リソースを傍受して、前記測定結果を取得することを含む
ことを特徴とする請求項９〜１８のいずれか１項に記載のリソース報告方法。
【請求項２６】
前記端末デバイスが第２の無線時間周波数リソースを傍受して前記測定結果を取得することは、
前記ネットワークデバイスが前記端末デバイスが無線時間周波数リソースを傍受するようにスケジューリングする場合、前記端末デバイスが前記第２の無線時間周波数リソースを傍受して、前記測定結果を取得することを含む
ことを特徴とする請求項９〜１８のいずれか１項に記載のリソース報告方法。
【請求項２７】
前記端末デバイスが第２の無線時間周波数リソースを傍受して前記測定結果を取得することは、
ランダムカウンタがタイムアウトする場合、前記端末デバイスが前記第２の無線時間周波数リソースを傍受して、前記測定結果を取得することを含む
ことを特徴とする請求項９〜１８のいずれか１項に記載のリソース報告方法。
【請求項２８】
前記端末デバイスがネットワークデバイスに端末間通信のための第１の無線時間周波数リソースの測定結果を報告することは、
前記端末デバイスが前記ネットワークデバイスに前記第１の無線時間周波数リソースの測定結果を周期的に報告することを含む
ことを特徴とする請求項１〜２７のいずれか１項に記載のリソース報告方法。
【請求項２９】
報告の周期は、前記ネットワークデバイスにより構成されたものである
ことを特徴とする請求項２８に記載のリソース報告方法。
【請求項３０】
報告の周期は、前記端末デバイスにより構成されたものである
ことを特徴とする請求項２８に記載のリソース報告方法。
【請求項３１】
前記報告の周期が前記端末デバイスにより構成されたものであることは、
報告の周期は、前記端末デバイスが対象サービスに基づいて確定したものであることを含む
ことを特徴とする請求項３０に記載のリソース報告方法。
【請求項３２】
前記端末デバイスがネットワークデバイスに端末間通信のための第１の無線時間周波数リソースの測定結果を報告することは、
対象リソースの属性が変更される場合、前記端末デバイスが前記ネットワークデバイスに前記第１の無線時間周波数リソースの測定結果を報告することを含む
ことを特徴とする請求項１〜３１のいずれか１項に記載のリソース報告方法。
【請求項３３】
前記対象リソースは、前記第１の無線時間周波数リソースである
ことを特徴とする請求項２５又は３２に記載のリソース報告方法。
【請求項３４】
前記対象リソースは、前記端末デバイスが前記測定レポートを取得する時に傍受する無線時間周波数リソースである
ことを特徴とする請求項２５又は３２に記載のリソース報告方法。
【請求項３５】
前記対象リソースの属性が変更されることは、
前記対象リソースの受信の信号強度指示ＲＳＳＩが変更されること、又は、前記対象リソースの参照信号受信電力ＲＳＲＰが変更されること、又は、前記対象リソースの参照信号受信品質ＲＳＲＱが変更されること、又は、前記対象リソースが他の端末デバイスにより占用されることが変更されることを含む
ことを特徴とする請求項２５、３２〜３４のいずれか１項に記載のリソース報告方法。
【請求項３６】
前記対象リソースの属性が変更されることは、
前記対象リソースのうちの、第１の品質要求を満たすリソースの数が変更されることを含む
ことを特徴とする請求項２５、３２〜３４のいずれか１項に記載のリソース報告方法。
【請求項３７】
前記第１の品質要求は、前記対象リソースのＲＳＳＩ、又は、前記対象リソースのＲＳＲＰ、又は、前記対象リソースのＲＳＲＱ、又は、前記対象リソースが他の端末デバイスにより占用されるかどうかが、第１の閾値を満たすことである
ことを特徴とする請求項３６に記載のリソース報告方法。
【請求項３８】
前記対象リソースの属性が変更されることは、
第１の構成情報が変更されることを含み、
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項２５、３２〜３４のいずれか１項に記載のリソース報告方法。
【請求項３９】
前記対象リソースの属性が変更されることは、
第２の構成情報が変更されることを含み、
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項２５、３２〜３４のいずれか１項に記載のリソース報告方法。
【請求項４０】
前記対象リソースの属性が変更されることは、
第２の構成情報が変更されることを含み、
前記第２の構成情報は、
前記端末デバイスが無線時間周波数リソースを傍受する重複周期を指示し、
及び／又は、前記端末デバイスが無線時間周波数リソースを傍受する重複数を指示する
ことを特徴とする請求項２５、３２〜３４のいずれか１項に記載のリソース報告方法。
【請求項４１】
前記対象リソースの属性が変更されることは、
前記ネットワークデバイスが前記端末デバイスに構成された送信リソースを禁止し又は非活性化すること、又は、前記ネットワークデバイスが前記端末デバイスに新しい送信リソースを構成することを含む
ことを特徴とする請求項２５、３２〜３４のいずれか１項に記載のリソース報告方法。
【請求項４２】
前記端末デバイスがネットワークデバイスに端末間通信のための第１の無線時間周波数リソースの測定結果を報告することは、
前記ネットワークデバイスが前記端末デバイスが無線時間周波数リソースを報告するようにスケジューリングする場合、前記端末デバイスが前記ネットワークデバイスに前記第１の無線時間周波数リソースの測定結果を報告することを含む
ことを特徴とする請求項１〜２７のいずれか１項に記載のリソース報告方法。
【請求項４３】
前記端末デバイスがネットワークデバイスに端末間通信のための第１の無線時間周波数リソースの測定結果を報告することは、
ランダムカウンタがタイムアウトする場合、前記端末デバイスが前記ネットワークデバイスに前記第１の無線時間周波数リソースの測定結果を報告することを含む
ことを特徴とする請求項１〜２７のいずれか１項に記載のリソース報告方法。
【請求項４４】
前記測定結果は、無線リソース制御ＲＲＣシグナリング、メディアアクセス制御制御ユニットＭＡＣ  ＣＥ、バッファ状態レポートＢＳＲ、物理上り制御チャネルのうちの少なくとも１つに搬送される
ことを特徴とする請求項１〜４３のいずれか１項に記載のリソース報告方法。
【請求項４５】
前記測定結果は、前記第１の時間周波数リソースの時間周波数位置情報、リソース利用可能情報、ＲＳＲＰ情報、ＲＳＳＩ情報、ＲＳＲＱ情報のうちの少なくとも１つを含む
ことを特徴とする請求項１〜４４のいずれか１項に記載のリソース報告方法。
【請求項４６】
ネットワークデバイスが端末デバイスにより報告された端末間通信のための第１の無線時間周波数リソースの測定結果を受信することと、
前記ネットワークデバイスが前記測定結果に基づいて、前記端末デバイスの端末間通信のための無線時間周波数リソースをスケジューリングすることとを含み、
前記端末デバイスが、ネットワークスケジューリングによる端末間通信リソースモードをサポートする端末デバイスである
ことを特徴とするリソース報告方法。
【請求項４７】
前記ネットワークデバイスが前記端末デバイスにより報告された前記測定結果を受信する前に、前記方法は、さらに、
前記ネットワークデバイスが前記端末デバイスに第１の構成情報を送信することを含み、
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項４６に記載のリソース報告方法。
【請求項４８】
前記第１の構成情報は、第１のインデックスを含み、
前記第１のインデックスは、前記端末デバイスが無線時間周波数リソースの時間位置又は範囲を報告するように指示する
ことを特徴とする請求項４７に記載のリソース報告方法。
【請求項４９】
前記第１の無線時間周波数リソースは、前記端末デバイスが対象サービスの周期及び時間オフセットに基づいて決定したものである
ことを特徴とする請求項４６〜４８のいずれか１項に記載のリソース報告方法。
【請求項５０】
前記測定結果は、前記端末デバイスが第２の無線時間周波数リソースを傍受して取得したものである
ことを特徴とする請求項４６〜４９のいずれか１項に記載のリソース報告方法。
【請求項５１】
前記第２の無線時間周波数リソースは、前記端末デバイスが対象サービスの周期及び時間オフセットに基づいて決定したものである
ことを特徴とする請求項５０に記載のリソース報告方法。
【請求項５２】
前記ネットワークデバイスが前記端末デバイスにより報告された前記測定結果を受信する前に、前記方法は、さらに、
前記ネットワークデバイスが前記端末デバイスに第２の構成情報を送信することを含み、
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項５０又は５１に記載のリソース報告方法。
【請求項５３】
前記ネットワークデバイスが前記端末デバイスにより報告された前記測定結果を受信する前に、前記方法は、さらに、
前記ネットワークデバイスが前記端末デバイスに第２の構成情報を送信することを含み、
前記第２の構成情報は、
前記端末デバイスが無線時間周波数リソースを傍受する重複周期を指示し、
及び／又は、前記端末デバイスが無線時間周波数リソースを傍受する重複数を指示する
ことを特徴とする請求項５０又は５１に記載のリソース報告方法。
【請求項５４】
前記第２の構成情報は、第２のインデックスを含み、
前記第２のインデックスは、前記端末デバイスが無線時間周波数リソースの時間位置又は範囲を傍受するように指示する
ことを特徴とする請求項５２又は５３に記載のリソース報告方法。
【請求項５５】
前記ネットワークデバイスが端末デバイスにより報告された端末間通信のための第１の無線時間周波数リソースの測定結果を受信することは、
前記ネットワークデバイスが前記端末デバイスにより報告された前記測定結果を周期的に受信することを含む
ことを特徴とする請求項４６〜５４のいずれか１項に記載のリソース報告方法。
【請求項５６】
報告の周期は、前記ネットワークデバイスにより構成されたものである
ことを特徴とする請求項５５に記載のリソース報告方法。
【請求項５７】
報告の周期は、前記端末デバイスにより構成されたものである
ことを特徴とする請求項５５に記載のリソース報告方法。
【請求項５８】
前記報告の周期が前記端末デバイスにより構成されたものであることは、
報告の周期は、前記端末デバイスが対象サービスに基づいて確定したものであることを含む
ことを特徴とする請求項５７に記載のリソース報告方法。
【請求項５９】
前記ネットワークデバイスが端末デバイスにより報告された端末間通信のための第１の無線時間周波数リソースの測定結果を受信することは、
サービスの属性が変更される場合、前記ネットワークデバイスが前記端末デバイスにより報告された前記測定結果を受信することを含む
ことを特徴とする請求項４６〜５４のいずれか１項に記載のリソース報告方法。
【請求項６０】
サービスの属性が変更されることは、
新しいサービスを伝送すること、及び／又は、
既存サービスの周期、時間オフセット、パケットの大きさ及び優先度のうちの少なくとも１つが変更されること、及び／又は、
既存サービスが完了することを含む
ことを特徴とする請求項５９に記載のリソース報告方法。
【請求項６１】
前記ネットワークデバイスが端末デバイスにより報告された端末間通信のための第１の無線時間周波数リソースの測定結果を受信することは、
対象リソースの属性が変更される場合、前記ネットワークデバイスが端末デバイスにより報告された測定結果を受信することを含む
ことを特徴とする請求項４６〜５４のいずれか１項に記載のリソース報告方法。
【請求項６２】
前記対象リソースは、前記第１の無線時間周波数リソースである
ことを特徴とする請求項６１に記載のリソース報告方法。
【請求項６３】
前記対象リソースは、前記端末デバイスが前記測定レポートを取得する時に傍受する無線時間周波数リソースである
ことを特徴とする請求項６１に記載のリソース報告方法。
【請求項６４】
前記対象リソースの属性が変更されることは、
前記対象リソースの受信の信号強度指示ＲＳＳＩが変更されること、又は、前記対象リソースの参照信号受信電力ＲＳＲＰが変更されること、又は、前記対象リソースの参照信号受信品質ＲＳＲＱが変更されること、又は、前記対象リソースが他の端末デバイスにより占用されることが変更されることを含む
ことを特徴とする請求項６１〜６３のいずれか１項に記載のリソース報告方法。
【請求項６５】
前記対象リソースの属性が変更されることは、
前記対象リソースのうちの、第１の品質要求を満たすリソースの数が変更されることを含む
ことを特徴とする請求項６１〜６３のいずれか１項に記載のリソース報告方法。
【請求項６６】
前記第１の品質要求は、前記対象リソースのＲＳＳＩ、又は、前記対象リソースのＲＳＲＰ、又は、前記対象リソースのＲＳＲＱ、又は、前記対象リソースが他の端末デバイスにより占用されるかどうかが、第１の閾値を満たすことである
ことを特徴とする請求項６５に記載のリソース報告方法。
【請求項６７】
前記対象リソースの属性が変更されることは、
第１の構成情報が変更されることを含み、
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項６１〜６３のいずれか１項に記載のリソース報告方法。
【請求項６８】
前記対象リソースの属性が変更されることは、
第２の構成情報が変更されることを含み、
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項６１〜６３のいずれか１項に記載のリソース報告方法。
【請求項６９】
前記対象リソースの属性が変更されることは、
第２の構成情報が変更されることを含み、
前記第２の構成情報は、
前記端末デバイスが無線時間周波数リソースを傍受する重複周期を指示し、
及び／又は、前記端末デバイスが無線時間周波数リソースを傍受する重複数を指示する
ことを特徴とする請求項６１〜６３のいずれか１項に記載のリソース報告方法
【請求項７０】
前記対象リソースの属性が変更されることは、
前記ネットワークデバイスが前記端末デバイスに構成された送信リソースを禁止し又は非活性化すること、又は、前記ネットワークデバイスが前記端末デバイスに新しい送信リソースを構成すること、又は、前記ネットワークデバイスが前記端末デバイスに構成された送信リソースが使用しないため解放されることを含む
ことを特徴とする請求項６１〜６３のいずれか１項に記載のリソース報告方法。
【請求項７１】
前記ネットワークデバイスが端末デバイスにより報告された端末間通信のための第１の無線時間周波数リソースの測定結果を受信することは、
前記ネットワークデバイスが前記端末デバイスが無線時間周波数リソースを報告するようにスケジューリングする場合、前記ネットワークデバイスが前記端末デバイスにより報告された前記測定結果を受信することを含む
ことを特徴とする請求項４６〜５４のいずれか１項に記載のリソース報告方法。
【請求項７２】
前記ネットワークデバイスが端末デバイスにより報告された端末間通信のための第１の無線時間周波数リソースの測定結果を受信することは、
ランダムカウンタがタイムアウトする場合、前記ネットワークデバイスが前記端末デバイスにより報告された前記測定結果を受信することを含む
ことを特徴とする請求項４６〜５４のいずれか１項に記載のリソース報告方法。
【請求項７３】
前記測定結果は、無線リソース制御ＲＲＣシグナリング、メディアアクセス制御ユニットＭＡＣ  ＣＥ、バッファ状態レポートＢＳＲ、物理上り制御チャネルのうちの少なくとも１つに搬送される
ことを特徴とする請求項４６〜７２のいずれか１項に記載のリソース報告方法。
【請求項７４】
前記測定結果は、前記第１の時間周波数リソースの時間周波数位置情報、リソース利用可能情報、ＲＳＲＰ情報、ＲＳＳＩ情報、ＲＳＲＱ情報のうちの少なくとも１つを含む
ことを特徴とする請求項４６〜７３のいずれか１項に記載のリソース報告方法。
【請求項７５】
通信ユニットを備える端末デバイスであって、
前記通信ユニットは、ネットワークデバイスに端末間通信のための第１の無線時間周波数リソースの測定結果を報告するように構成され、
前記端末デバイスが、ネットワークスケジューリングによる端末間通信リソースモードをサポートする端末デバイスである
ことを特徴とする端末デバイス。
【請求項７６】
前記通信ユニットが前記ネットワークデバイスに前記第１の無線時間周波数リソースの測定結果を報告する前に、前記端末デバイスは、さらに、処理ユニットを含み、
前記処理ユニットは、前記ネットワークデバイスにより構成された第１の構成情報に基づいて、前記第１の無線時間周波数リソースを決定するように構成される
ことを特徴とする請求項７５に記載の端末デバイス。
【請求項７７】
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項７６に記載の端末デバイス。
【請求項７８】
前記第１の構成情報は、第１のインデックスを含み、
前記第１のインデックスは、前記端末デバイスが無線時間周波数リソースの時間位置又は範囲を報告するように指示する
ことを特徴とする請求項７６又は７７に記載の端末デバイス。
【請求項７９】
前記通信ユニットが前記ネットワークデバイスに前記第１の無線時間周波数リソースの測定結果を報告する前に、前記処理ユニットは、さらに、前記第１の無線時間周波数リソースを決定するように構成される
ことを特徴とする請求項７５〜７８のいずれか１項に記載の端末デバイス。
【請求項８０】
前記処理ユニットは、
対象サービスに基づいて前記第１の無線時間周波数リソースを決定するように構成される
ことを特徴とする請求項７９に記載の端末デバイス。
【請求項８１】
前記処理ユニットは、
対象サービスの周期及び時間オフセットに基づいて前記第１の無線時間周波数リソースを決定するように構成される
ことを特徴とする請求項８０に記載の端末デバイス。
【請求項８２】
前記処理ユニットは、
前記第１の無線時間周波数リソースの時間位置又は範囲を決定し、
及び／又は、前記第１の無線時間周波数リソースの周波数位置又は幅を決定し、
及び／又は、前記第１の無線時間周波数リソースの数を決定するように構成される
ことを特徴とする請求項７９〜８１のいずれか１項に記載の端末デバイス。
【請求項８３】
前記通信ユニットが前記ネットワークデバイスに前記第１の無線時間周波数リソースの測定結果を報告する前に、前記処理ユニットは、さらに、第２の無線時間周波数リソースを傍受して前記測定結果を取得するように構成される
ことを特徴とする請求項７５〜８２のいずれか１項に記載の端末デバイス。
【請求項８４】
前記処理ユニットが前記第２の無線時間周波数リソースを傍受して前記測定結果を取得する前に、前記処理ユニットは、さらに、前記ネットワークデバイスにより構成された第２の構成情報に基づいて、前記第２の無線時間周波数リソースを決定するように構成される
ことを特徴とする請求項８３に記載の端末デバイス。
【請求項８５】
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項８４に記載の端末デバイス。
【請求項８６】
前記第２の構成情報は、
前記端末デバイスが無線時間周波数リソースを傍受する重複周期を指示し、
及び／又は、前記端末デバイスが無線時間周波数リソースを傍受する重複数を指示する
ことを特徴とする請求項８４に記載の端末デバイス。
【請求項８７】
前記第２の構成情報は、第２のインデックスを含み、
前記第２のインデックスは、前記端末デバイスが無線時間周波数リソースの時間位置又は範囲を傍受するように指示する
ことを特徴とする請求項８４〜８６のいずれか１項に記載の端末デバイス。
【請求項８８】
前記処理ユニットが前記第２の無線時間周波数リソースを傍受して前記測定結果を取得する前に、前記処理ユニットは、さらに、前記第２の無線時間周波数リソースを決定するように構成される
ことを特徴とする請求項８３〜８７のいずれか１項に記載の端末デバイス。
【請求項８９】
前記処理ユニットは、
対象サービスに基づいて前記第２の無線時間周波数リソースを決定するように構成される
ことを特徴とする請求項８８に記載の端末デバイス。
【請求項９０】
前記処理ユニットは、
対象サービスの周期及び時間オフセットに基づいて前記第２の無線時間周波数リソースを決定するように構成される
ことを特徴とする請求項８９に記載の端末デバイス。
【請求項９１】
前記処理ユニットは、
前記第２の無線時間周波数リソースの時間位置又は範囲を決定し、
及び／又は、前記第２の無線時間周波数リソースの周波数位置又は幅を決定し、
及び／又は、前記第２の無線時間周波数リソースの数を決定するように構成される
ことを特徴とする請求項８８〜９０のいずれか１項に記載の端末デバイス。
【請求項９２】
前記処理ユニットは、
前記第２の無線時間周波数リソースの時間位置又は範囲を決定し、
及び／又は、前記第２の無線時間周波数リソースの重複周期を決定し、
及び／又は、前記第２の無線時間周波数リソースの重複数を決定するように構成される
ことを特徴とする請求項８８〜９０のいずれか１項に記載の端末デバイス。
【請求項９３】
前記処理ユニットは、
前記第２の無線時間周波数リソースを周期的に傍受して前記測定結果を取得するように構成される
ことを特徴とする請求項８３〜９２のいずれか１項に記載の端末デバイス。
【請求項９４】
傍受の周期は、前記ネットワークデバイスにより構成されたものである
ことを特徴とする請求項９３に記載の端末デバイス。
【請求項９５】
傍受の周期は、前記端末デバイスにより構成されたものである
ことを特徴とする請求項９３に記載の端末デバイス。
【請求項９６】
前記傍受の周期が前記端末デバイスにより構成されたものであることは、
傍受の周期は、前記端末デバイスが対象サービスに基づいて決定したものであることを含む
ことを特徴とする請求項９５に記載の端末デバイス。
【請求項９７】
前記処理ユニットは、
サービスの属性が変更される場合、前記第２の無線時間周波数リソースを傍受して前記測定結果を取得するように構成される
ことを特徴とする請求項８３〜９２のいずれか１項に記載の端末デバイス。
【請求項９８】
サービスの属性が変更されることは、
新しいサービスを伝送すること、及び／又は、
既存サービスの周期、時間オフセット、パケットの大きさ及び優先度のうちの少なくとも１つが変更されること、及び／又は、
既存サービスが完了することを含む
ことを特徴とする請求項９７に記載の端末デバイス。
【請求項９９】
前記処理ユニットは、
対象リソースの属性が変更される場合、前記第２の無線時間周波数リソースを傍受して、前記測定結果を取得するように構成される
ことを特徴とする請求項８３〜９２のいずれか１項に記載の端末デバイス
【請求項１００】
前記処理ユニットは、
前記ネットワークデバイスが前記端末デバイスが無線時間周波数リソースを傍受するようにスケジューリングする場合、前記第２の無線時間周波数リソースを傍受して前記測定結果を取得するように構成される
ことを特徴とする請求項８３〜９２のいずれか１項に記載の端末デバイス。
【請求項１０１】
前記処理ユニットは、
ランダムカウンタがタイムアウトする場合、前記端末デバイスが前記第２の無線時間周波数リソースを傍受して、前記測定結果を取得するように構成される
ことを特徴とする請求項８３〜９２のいずれか１項に記載の端末デバイス。
【請求項１０２】
前記通信ユニットは、
前記ネットワークデバイスに前記第１の無線時間周波数リソースの測定結果を周期的に報告するように構成される
ことを特徴とする請求項７５〜１０１のいずれか１項に記載の端末デバイス。
【請求項１０３】
報告の周期は、前記ネットワークデバイスにより構成されたものである
ことを特徴とする請求項１０２に記載の端末デバイス。
【請求項１０４】
報告の周期は、前記端末デバイスにより構成されたものである
ことを特徴とする請求項１０２に記載の端末デバイス。
【請求項１０５】
前記報告の周期が前記端末デバイスにより構成されたものであることは、
報告の周期は、前記端末デバイスが対象サービスに基づいて確定したものであることを含む
ことを特徴とする請求項１０４に記載の端末デバイス。
【請求項１０６】
前記通信ユニットは、
対象リソースの属性が変更される場合、前記ネットワークデバイスに前記第１の無線時間周波数リソースの測定結果を報告するように構成される
ことを特徴とする請求項７５〜１０５のいずれか１項に記載の端末デバイス。
【請求項１０７】
前記対象リソースは、前記第１の無線時間周波数リソースである
ことを特徴とする請求項９９又は１０６に記載の端末デバイス。
【請求項１０８】
前記対象リソースは、前記端末デバイスが前記測定レポートを取得する時に傍受する無線時間周波数リソースである
ことを特徴とする請求項９９又は１０６に記載の端末デバイス。
【請求項１０９】
前記対象リソースの属性が変更されることは、
前記対象リソースの受信の信号強度指示ＲＳＳＩが変更されること、又は、前記対象リソースの参照信号受信電力ＲＳＲＰが変更されること、又は、前記対象リソースの参照信号受信品質ＲＳＲＱが変更されること、又は、前記対象リソースが他の端末デバイスにより占用されることが変更されることを含む
ことを特徴とする請求項９９、１０６〜１０８のいずれか１項に記載の端末デバイス。
【請求項１１０】
前記対象リソースの属性が変更されることは、
前記対象リソースのうちの、第１の品質要求を満たすリソース数が変更されることを含む
ことを特徴とする請求項９９、１０６〜１０８のいずれか１項に記載の端末デバイス。
【請求項１１１】
前記第１の品質要求は、前記対象リソースのＲＳＳＩ、又は、前記対象リソースのＲＳＲＰ、又は、前記対象リソースのＲＳＲＱ、又は、前記対象リソースが他の端末デバイスにより占用されるかどうかが、第１の閾値を満たすことである
ことを特徴とする請求項１１０に記載の端末デバイス。
【請求項１１２】
前記対象リソースの属性が変更されることは、
第１の構成情報が変更されることを含み、
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項９９、１０６〜１０８のいずれか１項に記載の端末デバイス。
【請求項１１３】
前記対象リソースの属性が変更されることは、
第２の構成情報が変更されることを含み、
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項９９、１０６〜１０８のいずれか１項に記載の端末デバイス。
【請求項１１４】
前記対象リソースの属性が変更されることは、
第２の構成情報が変更されることを含み、
前記第２の構成情報は、
前記端末デバイスが無線時間周波数リソースを傍受する重複周期を指示し、
及び／又は、前記端末デバイスが無線時間周波数リソースを傍受する重複数を指示する
ことを特徴とする請求項９９、１０６〜１０８のいずれか１項に記載の端末デバイス。
【請求項１１５】
前記対象リソースの属性が変更されることは、
前記ネットワークデバイスが前記端末デバイスに構成された送信リソースを禁止し又は非活性化すること、又は、前記ネットワークデバイスが前記端末デバイスに新しい送信リソースを構成することを含む
ことを特徴とする請求項９９、１０６〜１０８のいずれか１項に記載の端末デバイス。
【請求項１１６】
前記通信ユニットは、
前記ネットワークデバイスが前記端末デバイスが無線時間周波数リソースを報告するようにスケジューリングする場合、前記端末デバイスが前記ネットワークデバイスに前記第１の無線時間周波数リソースの測定結果を報告することを含む
ことを特徴とする請求項７５〜１０５のいずれか１項に記載の端末デバイス。
【請求項１１７】
前記通信ユニットは、
ランダムカウンタがタイムアウトする場合、前記ネットワークデバイスに前記第１の無線時間周波数リソースの測定結果を報告することを含む
ことを特徴とする請求項７５〜１０５のいずれか１項に記載の端末デバイス。
【請求項１１８】
前記測定結果は、無線リソース制御ＲＲＣシグナリング、メディアアクセス制御ユニットＭＡＣ  ＣＥ、バッファ状態レポートＢＳＲ、物理上り制御チャネルのうちの少なくとも１つに搬送される
ことを特徴とする請求項７５〜１１７のいずれか１項に記載の端末デバイス。
【請求項１１９】
前記測定結果は、前記第１の時間周波数リソースの時間周波数位置情報、リソース利用可能情報、ＲＳＲＰ情報、ＲＳＳＩ情報、ＲＳＲＱ情報のうちの少なくとも１つを含む
ことを特徴とする請求項７５〜１１８のいずれか１項に記載の端末デバイス。
【請求項１２０】
通信ユニットと、処理ユニットとを備えるネットワークデバイスであって、
前記通信ユニットは、端末デバイスにより報告された、端末間通信のための第１の無線時間周波数リソースの測定結果を受信するように構成され、前記端末デバイスが、ネットワークスケジューリングによる端末間通信リソースモードをサポートする端末デバイスであり、
前記処理ユニットは、前記測定結果に基づいて、前記端末デバイスの端末間通信のための無線時間周波数リソースをスケジューリングするように構成される
ことを特徴とするネットワークデバイス。
【請求項１２１】
前記通信ユニットが前記端末デバイスにより報告された前記測定結果を受信する前に、前記通信ユニットは、前記端末デバイスに第１の構成情報を送信するように構成され、
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項１２０に記載のネットワークデバイス。
【請求項１２２】
前記第１の構成情報は、第１のインデックスを含み、
前記第１のインデックスは、前記端末デバイスが無線時間周波数リソースの時間位置又は範囲を報告するように指示する
ことを特徴とする請求項１２１に記載のネットワークデバイス。
【請求項１２３】
前記第１の無線時間周波数リソースは、前記端末デバイスが対象サービスの周期及び時間オフセットに基づいて決定したものである
ことを特徴とする請求項１２０〜１２２のいずれか１項に記載のネットワークデバイス。
【請求項１２４】
前記測定結果は、前記端末デバイスが第２の無線時間周波数リソースを傍受して取得したものである
ことを特徴とする請求項１２０〜１２３のいずれか１項に記載のネットワークデバイス。
【請求項１２５】
前記第２の無線時間周波数リソースは、前記端末デバイスが対象サービスの周期及び時間オフセットに基づいて決定したものである
ことを特徴とする請求項１２４に記載のネットワークデバイス。
【請求項１２６】
前記通信ユニットが前記端末デバイスにより報告された前記測定結果を受信する前に、前記通信ユニットは、さらに、前記端末デバイスに第２の構成情報を送信するように構成され、
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項１２４又は１２５に記載のネットワークデバイス。
【請求項１２７】
前記通信ユニットが前記端末デバイスにより報告された前記測定結果を受信する前に、前記通信ユニットは、さらに、前記端末デバイスに第２の構成情報を送信するように構成され、
前記第２の構成情報は、
前記端末デバイスが無線時間周波数リソースを傍受する重複周期を指示し、
及び／又は、前記端末デバイスが無線時間周波数リソースを傍受する重複数を指示する
ことを特徴とする請求項１２４又は１２５に記載のネットワークデバイス。
【請求項１２８】
前記第２の構成情報は、第２のインデックスを含み、
前記第２のインデックスは、前記端末デバイスが無線時間周波数リソースの時間位置又は範囲を傍受するように指示する
ことを特徴とする請求項１２６又は１２７に記載のネットワークデバイス。
【請求項１２９】
前記通信ユニットは、
前記端末デバイスにより報告された前記測定結果を周期的に受信するように構成される
ことを特徴とする請求項１２０〜１２８のいずれか１項に記載のネットワークデバイス。
【請求項１３０】
報告の周期は、前記ネットワークデバイスにより構成されたものである
ことを特徴とする請求項１２９に記載のネットワークデバイス。
【請求項１３１】
報告の周期は、前記端末デバイスにより構成されたものである
ことを特徴とする請求項１２９に記載のネットワークデバイス。
【請求項１３２】
前記報告の周期が前記端末デバイスにより構成されたものであることは、
報告の周期は、前記端末デバイスが対象サービスに基づいて確定したものであることを含む
ことを特徴とする請求項１３１に記載のネットワークデバイス。
【請求項１３３】
前記通信ユニットは、
サービスの属性が変更される場合、前記端末デバイスにより報告された前記測定結果を受信するように構成される
ことを特徴とする請求項１２０〜１２８のいずれか１項に記載のネットワークデバイス。
【請求項１３４】
サービスの属性が変更されることは、
新しいサービスを伝送すること、及び／又は、
既存サービスの周期、時間オフセット、パケットの大きさ及び優先度のうちの少なくとも１つが変更されること、及び／又は、
既存サービスが完了することを含む
ことを特徴とする請求項１３３に記載のネットワークデバイス。
【請求項１３５】
前記通信ユニットは、
対象リソースの属性が変更される場合、前記端末デバイスにより報告された前記測定結果を受信するように構成される
ことを特徴とする請求項１２０〜１２８のいずれか１項に記載のネットワークデバイス。
【請求項１３６】
前記対象リソースは、前記第１の無線時間周波数リソースである
ことを特徴とする請求項１３５に記載のネットワークデバイス。
【請求項１３７】
前記対象リソースは、前記端末デバイスが前記測定レポートを取得する時に傍受する無線時間周波数リソースである
ことを特徴とする請求項１３５に記載のネットワークデバイス。
【請求項１３８】
前記対象リソースの属性が変更されることは、
前記対象リソースの受信の信号強度指示ＲＳＳＩが変更されること、又は、前記対象リソースの参照信号受信電力ＲＳＲＰが変更されること、又は、前記対象リソースの参照信号受信品質ＲＳＲＱが変更されること、又は、前記対象リソースが他の端末デバイスにより占用されることが変更されることを含む
ことを特徴とする請求項１３５〜１３７のいずれか１項に記載のネットワークデバイス。
【請求項１３９】
前記対象リソースの属性が変更されることは、
前記対象リソースのうちの、第１の品質要求を満たすリソース数が変更されることを含む
ことを特徴とする請求項１３５〜１３７のいずれか１項に記載のネットワークデバイス。
【請求項１４０】
前記第１の品質要求は、前記対象リソースのＲＳＳＩ、又は、前記対象リソースのＲＳＲＰ、又は、前記対象リソースのＲＳＲＱ、又は、前記対象リソースが他の端末デバイスにより占用されるかどうかが、第１の閾値を満たすことである
ことを特徴とする請求項１３９に記載のネットワークデバイス。
【請求項１４１】
前記対象リソースの属性が変更されることは、
第１の構成情報が変更されることを含み、
前記第１の構成情報は、
前記端末デバイスが無線時間周波数リソースの時間位置又は範囲を報告するように指示し、
及び／又は、前記端末デバイスが無線時間周波数リソースの周波数位置又は幅を報告するように指示し、
及び／又は、前記端末デバイスが無線時間周波数リソースの数を報告するように指示する
ことを特徴とする請求項１３５〜１３７のいずれか１項に記載のネットワークデバイス。
【請求項１４２】
前記対象リソースの属性が変更されることは、
第２の構成情報が変更されることを含み、
前記第２の構成情報は、
前記端末デバイスが無線時間周波数リソースの時間位置又は範囲を傍受するように指示し、
及び／又は、前記端末デバイスが無線時間周波数リソースの周波数位置又は幅を傍受するように指示し、
及び／又は、前記端末デバイスが無線時間周波数リソースの数を傍受するように指示する
ことを特徴とする請求項１３５〜１３７のいずれか１項に記載のネットワークデバイス。
【請求項１４３】
前記対象リソースの属性が変更されることは、
第２の構成情報が変更されることを含み、
前記第２の構成情報は、
前記端末デバイスが無線時間周波数リソースを傍受する重複周期を指示し、
及び／又は、前記端末デバイスが無線時間周波数リソースを傍受する重複数を指示する
ことを特徴とする請求項１３５〜１３７のいずれか１項に記載のネットワークデバイス。
【請求項１４４】
前記対象リソースの属性が変更されることは、
前記ネットワークデバイスが前記端末デバイスに構成された送信リソースを禁止し又は非活性化すること、又は、前記ネットワークデバイスが前記端末デバイスに新しい送信リソースを構成することを含む
ことを特徴とする請求項１３５〜１３７のいずれか１項に記載のネットワークデバイス。
【請求項１４５】
前記通信ユニットは、
前記ネットワークデバイスが前記端末デバイスが無線時間周波数リソースを報告するようにスケジューリングする場合、前記端末デバイスにより報告された前記測定結果を受信するように構成される
ことを特徴とする請求項１２０〜１２８のいずれか１項に記載のネットワークデバイス。
【請求項１４６】
前記通信ユニットは、
ランダムカウンタがタイムアウトする場合、前記端末デバイスにより報告された前記測定結果を受信するように構成される
ことを特徴とする請求項１２０〜１２８のいずれか１項に記載のネットワークデバイス。
【請求項１４７】
前記測定結果は、無線リソース制御ＲＲＣシグナリング、メディアアクセス制御ユニットＭＡＣ  ＣＥ、バッファ状態レポートＢＳＲ、物理上り制御チャネルのうちの少なくとも１つに搬送される
ことを特徴とする請求項１２０〜１４６のいずれか１項に記載のネットワークデバイス。
【請求項１４８】
前記測定結果は、前記第１の時間周波数リソースの時間周波数位置情報、リソース利用可能情報、ＲＳＲＰ情報、ＲＳＳＩ情報、ＲＳＲＱ情報のうちの少なくとも１つを含む
ことを特徴とする請求項１２０〜１４７のいずれか１項に記載のネットワークデバイス。
【請求項１４９】
コンピュータプログラムを格納するメモリと、前記メモリに格納されたコンピュータプログラムを呼び出して実行するプロセッサとを備え、
前記プロセッサは、コンピュータプログラムを実行する場合、請求項１〜４５のいずれか１項に記載の方法を実行する
ことを特徴とする端末デバイス。
【請求項１５０】
コンピュータプログラムを格納するプロセッサと、前記メモリに格納されたコンピュータプログラムを呼び出して実行するプロセッサとを備え、
前記プロセッサは、コンピュータプログラムを実行する場合、請求項４６〜７４のいずれか１項に記載の方法を実行する
ことを特徴とするネットワークデバイス。
【請求項１５１】
プロセッサを備え、
前記プロセッサは、コンピュータプログラムをメモリから呼び出して実行することで、前記チップが搭載された装置に請求項１〜４５のいずれか１項に記載の方法を実行させる
ことを特徴とするチップ。
【請求項１５２】
プロセッサを備え、
前記プロセッサは、コンピュータプログラムをメモリから呼び出して実行することで、前記チップが搭載された装置に請求項４６〜７４のいずれか１項に記載の方法を実行させる
ことを特徴とするチップ。
【請求項１５３】
請求項１〜４５のいずれか１項に記載の方法をコンピュータに実行させるコンピュータプログラムを記憶する
ことを特徴とするコンピュータ可読記憶媒体。
【請求項１５４】
請求項４６〜７４のいずれか１項に記載の方法をコンピュータに実行させるコンピュータプログラムを記憶する
ことを特徴とするコンピュータ可読記憶媒体。
【請求項１５５】
請求項１〜４５のいずれか１項に記載の方法をコンピュータに実行させるコンピュータプログラム命令を含む
ことを特徴とするコンピュータプログラム製品。
【請求項１５６】
請求項４６〜７４のいずれか１項に記載の方法をコンピュータに実行させるコンピュータプログラム命令を含む
ことを特徴とするコンピュータプログラム製品。
【請求項１５７】
請求項１〜４５のいずれか１項に記載の方法をコンピュータに実行させる
ことを特徴とするコンピュータプログラム。
【請求項１５８】
請求項４６〜７４のいずれか１項に記載の方法をコンピュータに実行させる
ことを特徴とするコンピュータプログラム。
【発明の詳細な説明】
【関連出願の相互参照】
【０００１】
本願は、２０１８年２月１４日に中国特許庁に出願され、番号「ＰＣＴ / ＣＮ２０１８/０７６８６６」、名称「リソース報告方法、端末デバイス及びネットワークデバイス」のＰＣＴ特許出願の優先権、及び、２０１８年５月３０日に中国特許庁に出願され、番号「ＰＣＴ / ＣＮ２０１８/０８９０６０」、名称「リソース報告方法、端末デバイス及びネットワークデバイス」の出願のPCT特許出願の優先権を主張し、その全体は、参照により本願に組み込まれる。
【技術分野】
【０００２】
本願は、通信分野に関し、具体的に、リソース報告方法、端末デバイス及びネットワークデバイスに関する。
【背景技術】
【０００３】
リリース（Ｒｅｌｅａｓｅ）１４では、端末デバイス(例えば、車載端末)の伝送リソースは、ネットワークデバイス(例えば、基地局)によって割り当てられており、端末デバイスは、ネットワークデバイスによって割り当てられたリソースに従って、サイドリンク上で端末間通信を行い、ネットワークデバイスは、端末デバイスに１回の伝送リソースを割り当ててもよいし、端末デバイスに準静的な伝送リソースを割り当ててもよい。Ｒｅｌｅａｓｅ１５及びより高いリリースの通信では、端末デバイスのリソースの傍受やリソースの報告に対する要求が高く、Ｒｅｌｅａｓｅ１４では、端末デバイスのリソースの傍受やリソースの報告がＲｅｌｅａｓｅ１５及びより高いリリースの通信の要求に適用されない。
【発明の概要】
【０００４】
本発明の実施例は、端末がリソースを選択して傍受し、リソースを選択して報告することができるとともに、リソースの傍受方式とリソースの報告方式を柔軟に決定でき、Ｒｅｌｅａｓｅ１５及びより高いリリースの通信の要求を満たすことができるリソース報告方法、端末デバイス及びネットワークデバイスを提供する
第１の態様として、本発明の実施例は、リソース報告方法を提供し、
端末デバイスがネットワークデバイスに端末間通信のための第１の無線時間周波数リソースの測定結果を報告することを含み、ここで、該端末デバイスは、ネットワークスケジューリングによる端末間通信リソースモードをサポートする端末デバイスである。
【０００５】
このように、本願の実施例に係るリソース報告方法では、端末デバイスが端末間通信のための第１の無線時間周波数リソースの測定結果を報告することができるので、ネットワークデバイスによるリソーススケジューリングを支援することができる。
【０００６】
第２の態様として、本発明の実施例は、リソース報告方法を提供し、
ネットワークデバイスが端末デバイスにより報告された端末間通信のための第１の無線時間周波数リソースの測定結果を受信することと、
該ネットワークデバイスが該測定結果に基づいて、該端末デバイスの端末間通信のための無線時間周波数リソースをスケジューリングすることとを含み、
ここで、該端末デバイスは、ネットワークスケジューリングによる端末間通信リソースモードをサポートする端末デバイスである。
【０００７】
このように、本願の実施例に係るリソース報告方法では、端末デバイスが端末間通信のための第１の無線時間周波数リソースの測定結果を報告することができるので、ネットワークデバイスによるリソーススケジューリングを支援することができる。
【０００８】
第３の態様として、本願の実施例は、第１の態様または第１の態様の任意の実施形態における方法のモジュールまたはユニットを実行することができる端末デバイスを提供する。
【０００９】
第４の態様として、本願の実施形態は、第２の態様または第２の態様の任意の実施態様における方法のモジュールまたはユニットを実行することができるネットワークデバイスを提供する。
【００１０】
第５の態様は、プロセッサと、メモリと、通信インターフェースとを含む端末デバイスを提供する。プロセッサは、メモリおよび通信インターフェースに接続される。メモリは、命令を記憶するように構成され、プロセッサが命令を実行するように構成され、通信インターフェースは、プロセッサの制御下で他のネットワーク要素と通信するように構成される。プロセッサがメモリに記憶された命令を実行すると、プロセッサに、第１の態様または第１の態様の任意の可能な実装形態における方法を実行させる。
【００１１】
第６の態様は、プロセッサと、メモリと、通信インターフェースとを含むネットワークデバイスが提供される。プロセッサは、メモリおよび通信インターフェースに接続される。メモリは、命令を記憶するように構成され、プロセッサが命令を実行するように構成され、通信インターフェースは、プロセッサの制御下で他のネットワーク要素と通信するように構成される。プロセッサがメモリに記憶された命令を実行すると、プロセッサに、第２の態様または第２の態様の任意の可能な実装における方法を実行させる。
【００１２】
第７の態様は、上記の第１の態様から第４の態様のいずれか１つまたはその様々な実装形態における方法を実装するためのチップを提供する。
【００１３】
具体的には、チップは、コンピュータプログラムをメモリから呼び出して実行し、チップが搭載された装置に、上記の第１の態様から第２の態様のいずれか１つまたはその各実装態様に従う方法を実行させるプロセッサを含む。
【００１４】
第８の態様は、コンピュータに、上記の第１の態様から第２の態様のいずれか１つまたはその各実装形態における方法を実行させるコンピュータプログラムを記憶するためのコンピュータ可読記憶媒体を提供する。
【００１５】
第９の態様は、コンピュータに、上記の第１の態様から第２の態様のいずれか１つまたはその様々な実装形態における方法を実行させるコンピュータプログラム命令を含むコンピュータプログラム製品を提供する。
【００１６】
第１０の態様は、コンピュータ上で実行されると、コンピュータに、上記の第１の態様から第２の態様のいずれか１つまたはその様々な実装形態における方法を実行させるコンピュータプログラムを提供する。
【図面の簡単な説明】
【００１７】
【図１】本願の実施例における応用シーンの模式図である。
【図２】本願の実施例におけるリソース報告方法のフローチャートである。
【図３】本願の実施例における他のリソース報告方法のフローチャートである。
【図４】本願の実施例における端末デバイスのブロック図である。
【図５】本願の実施例におけるネットワークデバイスのブロック図である。
【図６】本願の実施例における通信デバイスのブロック図である。
【図７】本願の実施例におけるチップのブロック図である。
【図８】本願の実施例における無線通信システムのブロック図である。
【発明を実施するための形態】
【００１８】
以下、本願の実施例における技術的解決策を、本願の実施例における添付図面と併せて、明確かつ完全に説明する。
【００１９】
本発明の実施例の技術的解決策は、デバイスツーデバイス( Ｄｅｖｉｃｅ ｔｏ Ｄｅｖｉｃｅ、Ｄ２Ｄ )通信システム、例えば、ロングタームエボリューション( ＬＴＥ、Ｌｏｎｇ Ｔｅｒｍ Ｅｖｏｌｕｔｉｏｎ )に基づくＤ２Ｄ通信のためのカーネットシステムに適用可能であることを理解されたい。従来のＬＴＥシステムにおける端末間の通信データがネットワークデバイス(例えば、基地局)を介して受信または送信される方式とは異なり、カーネットシステムは、端末間直接通信を採用し、したがって、より高いスペクトル効率およびより低い伝送遅延を有する。
【００２０】
任意選択で、カーネットシステムがベースとする通信システムは、全地球移動体通信( Ｇｌｏｂａｌ Ｓｙｓｔｅｍ ｏｆ Ｍｏｂｉｌｅ Ｃｏｍｍｕｎｉｃａｔｉｏｎ、ＧＳＭ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ＬＴＥシステム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ  Ｄｉｖｉｓｉｏｎ  Ｄｕｐｌｅｘ、ＴＤＤ )、汎用移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉMAX )通信システム、５Ｇ新規無線( Ｎｅｗ Ｒａｄｉｏ、ＮＲ )システムなどであり得る。
【００２１】
本発明の実施例における端末デバイスは、Ｄ２Ｄ通信を可能にする端末デバイスであってもよい。例えば、車載端末デバイスでもよいし、５Ｇネットワークにおける端末デバイスや、将来進化する公共地上移動通信ネットワーク( Ｐｕｂｌｉｃ Ｌａｎｄ Ｍｏｂｉｌｅ Ｎｅｔｗｏｒｋ、ＰＬＭＮ )における端末デバイスなどでもよく、本願実施例は限定されない。
【００２２】
図１は、本発明の実施例の応用シーンの概略図である。図１は、１つのネットワークデバイス及び２つの端末デバイスを例示的に示しているが、本発明の実施形態における無線通信システムは、複数のネットワークデバイスを含んでもよく、各ネットワークデバイスのカバレージ内に他の数の端末デバイスを含んでもよく、本発明の実施形態は、これに限定されない。
【００２３】
任意選択で、この無線通信システムは、移動管理エンティティ( Ｍｏｂｉｌｅ Ｍａｎａｇｅｍｅｎｔ Ｅｎｔｉｔｙ、ＭＭＥ )、サービングゲートウェイ( Ｓｅｒｖｉｎｇ Ｇａｔｅｗａｙ、ｓ−ＧＷ )、パケットデータネットワークゲートウェイ( Ｐａｃｋｅｔ Ｄａｔａ Ｎｅｔｗｏｒｋ Ｇａｔｅｗａｙ、Ｐ−ＧＷ )などの他のネットワークエンティティをさらに含むことができ、または、無線通信システムは、セッション管理機能( Ｓｅｓｓｉｏｎ Ｍａｎａｇｅｍｅｎｔ Ｆｕｎｃｔｉｏｎ、ＳＭＦ )、統合データ管理( Ｕｎｉｆｉｅｄ  Ｄａｔａ  Ｍａｎａｇｅｍｅｎｔ、ＵＤＭ )、認証サーバ機能( Ａｕｔｈｅｎｔｉｃａｔｉｏｎ Ｓｅｒｖｅｒ Ｆｕｎｃｔｉｏｎ、ＡＵＳＦ )などの他のネットワークエンティティをさらに含むことができ、本願実施例はこれに限定されない。
【００２４】
具体的には、端末デバイス２０と端末デバイス３０は、Ｄ２Ｄ通信モードで通信可能であり、Ｄ２Ｄ通信を行う場合、端末デバイス２０と端末デバイス３０は、Ｄ２Ｄリンク、すなわち、ＳＬ （ Ｓｉｄｅｌｉｎｋ )上で直接通信する。例えば、図１に示すように、端末デバイス２０と端末デバイス３０とは、サイドリンクで直接通信を行う。図１において、端末デバイス２０と端末デバイス３０とは、ネットワークデバイスにより伝送リソースが割り当てられたサイドリンクにより通信を行う。
【００２５】
Ｄ２Ｄ通信は、車間通信( Ｖｅｈｉｃｌｅ ｔｏ Ｖｅｈｉｃｌｅ、Ｖ２Ｖ )又は車両間通信( Ｖｅｈｉｃｌｅ ｔｏ Ｅｖｅｒｙｔｈｉｎｇ、Ｖ２Ｘ )を指し得る。Ｖ２Ｘ通信において、Ｘは、限定ではないが、低速で移動する無線デバイス、高速で移動する車載デバイス、または無線送受信能力を有するネットワーク制御ノードなど、無線送受信能力を有する任意のデバイスを広く指すことができる。なお、本発明の実施例は主にＶ２Ｘ通信のシナリオに適用されるが、他のＤ２Ｄ通信シナリオにも適用可能であり、本発明の実施形態はこれに限定されない。
【００２６】
車載ネットワークシステムにおいて、車載端末( Ｖｅｈｉｃｌｅ Ｕｓｅｒ Ｅｑｕｉｐｍｅｎｔ、ＶＵＥ )や歩行者ハンディターミナル( Ｐｅｄｅｓｔｒｉａｎ Ｕｓｅｒ Ｅｑｕｉｐｍｅｎｔ、ＰＵＥ )などの傍受機能を有する端末デバイスと、ＰＵＥなどの傍受機能を有しない端末デバイスとの２種類の端末デバイスが存在する。ＶＵＥは、より高い処理能力を有し、通常は車内のバッテリーによって給電されるが、ＰＵＥ処理能力は低く、電力消費を低減することもＰＵＥが考慮する必要がある主な要因であるので、既存のネットワークシステムでは、ＶＵＥは完全な受信能力および傍受能力を有すると考えられ、ＰＵＥは受信および検知能力の一部を有するまたは有さないと考えられる。ＰＵＥが部分的な傍受能力を有する場合、そのリソースの選択は、ＶＵＥと同様の傍受手法を用いて、傍受可能なリソースの部分で利用可能なリソースの選択を行うことができ、ＰＵＥが傍受能力を有しない場合、ＰＵＥはリソースプールから伝送リソースをランダムに選択する。
【００２７】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリメモリ( Ｅｒａｓａｂｌｅ Ｐｒｏｇｒａｍｍａｂｌｅ Ｒｅａｄ−Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００２８】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００２９】
図２は、本発明の実施例によるリソース報告方法２００の概略的なフローチャートである。この方法２００は、任意選択で、図１に示されるシステムに適用され得るが、これに限定されない。方法２００は、以下のコンテンツの少なくとも一部を含む。
【００３０】
Ｓ２１０において、端末デバイスがネットワークデバイスに端末間通信のための第１の無線時間周波数リソースの測定結果を報告し、ここで、該端末デバイスは、ネットワークスケジューリングによる端末間通信リソースモードをサポートする端末デバイスである。
【００３１】
任意選択で、該測定結果は、無線リソース制御（Ｒａｄｉｏ Ｒｅｓｏｕｒｃｅ Ｃｏｎｔｒｏｌ、ＲＲＣ）シグナリング、メディアアクセス制御ユニット（Ｍｅｄｉａ Ａｃｃｅｓｓ Ｃｏｎｔｒｏｌ Ｃｏｎｔｒｏｌ Ｅｌｅｍｅｎｔ、ＭＡＣ ＣＥ）、バッファ状態レポート（Ｂｕｆｆｅｒ Ｓｔａｔｕｓ Ｒｅｐｏｒｔ、ＢＳＲ）、物理上り制御チャネル（Ｐｈｙｓｉｃａｌ Ｕｐｌｉｎｋ Ｃｏｎｔｒｏｌ Ｃｈａｎｎｅｌ、ＰＵＣＣＨ）のうちの少なくとも１つに搬送される。
【００３２】
任意選択で、該測定結果は、該第１の時間周波数リソースの時間周波数位置情報、リソース利用可能情報、参照信号受信電力（Ｒｅｆｅｒｅｎｃｅ Ｓｉｇｎａｌ Ｒｅｃｅｉｖｉｎｇ Ｐｏｗｅｒ、ＲＳＲＰ）情報、受信の信号強度指示（Ｒｅｃｅｉｖｅｄ Ｓｉｇｎａｌ Ｓｔｒｅｎｇｔｈ Ｉｎｄｉｃａｔｉｏｎ、ＲＳＳＩ）情報、参照信号受信品質（Ｒｅｆｅｒｅｎｃｅ Ｓｉｇｎａｌ Ｒｅｃｅｉｖｉｎｇ Ｑｕａｌｉｔｙ、ＲＳＲＱ）情報のうちの少なくとも１つを含む。
【００３３】
任意選択で、該端末デバイスが該ネットワークデバイスにより構成された第１の構成情報に基づいて、該第１の無線時間周波数リソースを決定する。
【００３４】
例えば、該端末デバイスは、該ネットワークデバイスにより送信された第１の構成情報を受信し、該第１の構成情報に基づいて該第１の無線時間周波数リソースを決定する。
【００３５】
任意選択で、該第１の構成情報該端末デバイスが無線時間周波数リソースの時間位置又は範囲を報告するように指示し、及び／又は、該端末デバイスが無線時間周波数リソースの周波数位置又は幅を報告するように指示し、及び／又は、該端末デバイスが無線時間周波数リソースの数を報告するように指示する。
【００３６】
任意選択で、該第１の構成情報は、ここで、第１のインデックスを含み、該第１のインデックスは、端末デバイスが無線時間周波数リソースの時間位置または範囲を報告するように指示する。
【００３７】
具体的には、端末デバイスは、該第１の構成情報を受信する前に、報告される無線時間周波数リソース及びそのインデックス情報を報告し、この時、ネットワークデバイスは、インデックス情報によって、端末デバイスが無線時間周波数リソースの時間位置又は範囲を報告するように直接的に示すことができる。
【００３８】
例えば、この端末デバイスは、無線時間周波数リソース１に対応するインデックスＡと、無線時間周波数リソース２に対応するインデックスＢと、無線時間周波数リソース３に対応するインデックスＣと、を含む無線時間周波数リソースを報告する。このとき、ネットワークデバイスは、インデックスＢにより、端末デバイスが無線リソース２の時間位置または範囲を報告するように示すことができる。
【００３９】
任意選択で、該第１のインデックスは、半静的スケジュール( Ｓｅｍｉ−Ｐｅｒｓｉｓｔｅｎｔ Ｓｃｈｅｄｕｌｉｎｇ、ＳＰＳ )インデックス（ｉｎｄｅｘ）であってもよい。
【００４０】
任意選択で、該端末デバイスは、該第１の無線時間周波数リソースを自分で決定することができる。
【００４１】
例えば、該端末デバイスが対象サービスに基づいて該第１の無線時間周波数リソースを決定する。
【００４２】
さらに、該端末デバイスが対象サービスの周期及び時間オフセットに基づいて該第１の無線時間周波数リソースを決定する
具体的に、該端末デバイスが該第１の無線時間周波数リソースの時間位置又は範囲を決定し、及び／又は、該端末デバイスが該第１の無線時間周波数リソースの周波数位置又は幅を決定し、及び／又は、該端末デバイスが該第１の無線時間周波数リソースの数を決定する。
【００４３】
任意選択で、該端末デバイスは、第２の無線時間周波数リソースを傍受して、該測定結果を取得する。
【００４４】
任意選択で、該第２の無線時間周波数リソースの範囲は、該第１の無線時間周波数リソースの範囲以上である。
【００４５】
任意選択で、該端末デバイスが該ネットワークデバイスにより構成された第２の構成情報に基づいて、該第２の無線時間周波数リソースを決定する。
【００４６】
例えば、該端末デバイスは、該ネットワークデバイスにより送信された第２の構成情報を受信し、該第２の構成情報に基づいて該第２の無線時間周波数リソースを決定する。
【００４７】
任意選択で、該第２の構成情報は、該端末デバイスが無線時間周波数リソースの時間位置又は範囲を傍受するように指示し、及び／又は、該端末デバイスが無線時間周波数リソースの周波数位置又は幅を傍受するように指示し、及び／又は、該端末デバイスが無線時間周波数リソースの数を傍受するように指示する。
【００４８】
任意選択で、該第２の構成情報は、端末デバイスが無線時間周波数リソースを傍受する重複周期を指示し、
および/または、端末デバイスが無線時間周波数リソースを傍受する重複数を指示する。
【００４９】
例えば、端末デバイスは、１０ｍｓ (ミリ秒)の周期で無線時間周波数リソースを傍受し、その重複周期は１ｍｉｎ(分)で構成でき、即ち、端末デバイスは、１分以内に１０ｍｓの周期で無線時間周波数リソースを傍受し、１分を超えると傍受を停止する。
【００５０】
また例えば、端末デバイスは１０ｍｓ周期で無線時間周波数リソースを傍受し、その重複数を５回として、５回連続して無線時間周波数リソースを傍受し、傍受を停止するようにしてもよい。
【００５１】
また、例えば、端末デバイスが無線時周波数リソースを傍受する場合、端末デバイスは、無線時間周波数リソースを５回連続して傍受すれば、傍受を停止するというように、繰り返し数を５としてもよい。言い換えれば、端末デバイスは、非周期的な無線時間周波数リソースを傍受することができる。
【００５２】
任意選択で、第２の構成情報は、第２のインデックスを含み、この第２のインデックスは、端末デバイスが無線時間周波数リソースの時間位置又は範囲を傍受するように指示する。
【００５３】
なお、第２のインデックスは第１のインデックスを参照し、ここで説明を省略する。
【００５４】
任意選択で、該端末デバイスが該第２の無線時間周波数リソースを決定する。
【００５５】
例えば、該端末デバイスが対象サービスに基づいて該第２の無線時間周波数リソースを決定する。
【００５６】
さらに、該端末デバイスが対象サービスの周期及び時間オフセットに基づいて該第２の無線時間周波数リソースを決定する。
【００５７】
具体的に、該端末デバイスが該第２の無線時間周波数リソースの時間位置又は範囲を決定し、及び／又は、該端末デバイスが該第２の無線時間周波数リソースの周波数位置又は幅を決定し、及び／又は、該端末デバイスが該第２の無線時間周波数リソースの数を決定する。
【００５８】
具体的に、該端末デバイスが該第２の無線時間周波数リソースの重複周期を決定し、及び／又は、該端末デバイスが該第２の無線時間周波数リソースの重複数を決定する。
【００５９】
具体的に、該端末デバイスは、以下の方式で該第２の無線時間周波数リソースを傍受して、該測定結果を取得する。
【００６０】
方式一、
該端末デバイスが該第２の無線時間周波数リソースを周期的に傍受して、該測定結果を取得する。
【００６１】
任意選択で、傍受の周期は、該ネットワークデバイスにより構成されたものである。
【００６２】
任意選択で、傍受の周期は、該端末デバイスにより決定されたものである。例えば、傍受の周期は、該端末デバイスが対象サービスに基づいて決定したものである。
【００６３】
方式二、
対象リソースの属性が変更される場合、該端末デバイスが該第２の無線時間周波数リソースを傍受して、該測定結果を取得する。
【００６４】
任意選択で、該対象リソースは、該第１の無線時間周波数リソースである。
【００６５】
任意選択で、該対象リソースは、該端末デバイスが該測定レポートを取得する時に傍受する無線時間周波数リソースである。
【００６６】
方式三、
該ネットワークデバイスが該端末デバイスが無線時間周波数リソースを傍受するようにスケジューリングする場合、該端末デバイスが該第２の無線時間周波数リソースを傍受して、該測定結果を取得する。
【００６７】
方式四、
ランダムカウンタがタイムアウトする場合、該端末デバイスが該第２の無線時間周波数リソースを傍受して、該測定結果を取得する。
【００６８】
方式五、サービスの属性が変更される場合、該端末デバイスが該第２の無線時間周波数リソースを傍受して、該測定結果を取得する。
【００６９】
具体的に、サービスの属性が変更されることは、新しいサービスを伝送すること、
及び／又は、既存のサービスの周期、時間オフセット、パケットの大きさ及び優先度のうちの少なくとも１つが変更されること、
及び／又は、既存のサービスが完了することを含む。
【００７０】
具体的に、該端末デバイスは、以下の方式で、該ネットワークデバイスに該第１の無線時間周波数リソースの測定結果を報告する。
【００７１】
方式一、
該端末デバイスは、該ネットワークデバイスに該第１の無線時間周波数リソースの測定結果を周期的に報告する。
【００７２】
任意選択で、報告の周期は、該ネットワークデバイスにより構成されたものである。
【００７３】
任意選択で、報告の周期は、該端末デバイスにより構成されたものである。例えば、報告の周期は、該端末デバイスが対象サービスに基づいて決定したものである。
【００７４】
方式二、
対象リソースの属性が変更される場合、該端末デバイス該ネットワークデバイスに該第１の無線時間周波数リソースの測定結果を報告する。
【００７５】
任意選択で、該対象リソースは、該第１の無線時間周波数リソースである。
【００７６】
任意選択で、該対象リソースは、該端末デバイスが該測定レポートを取得する時に傍受する無線時間周波数リソースである。
【００７７】
方式三、
該ネットワークデバイスが該端末デバイスが無線時間周波数リソースを報告するようにスケジューリングする場合、該端末デバイス該ネットワークデバイスに該第１の無線時間周波数リソースの測定結果を報告する。
【００７８】
方式四、
ランダムカウンタがタイムアウトする場合、該端末デバイス該ネットワークデバイスに該第１の無線時間周波数リソースの測定結果を報告する。
【００７９】
具体的に、以下の方式により、該対象リソースの属性を示す。
【００８０】
方式一、
該対象リソースのＲＳＳが変更され、又は、該対象リソースのＲＳＲＰが変更され、又は、該対象リソースのＲＳＲＱが変更され、又は、該対象リソースが他の端末デバイスにより占用されることが変更される。
【００８１】
方式二、
該対象リソースのうちの、第１の品質要求を満たすリソースの数が変更される。該第１の品質要求は、該対象リソースのＲＳＳＩ、又は、該対象リソースのＲＳＲＰ、又は、該対象リソースのＲＳＲＱ、又は該対象リソースが他の端末デバイスにより占用されることが第１の閾値を満たすことである。
【００８２】
方式三、
第１の構成情報が変更され、ここで、
該第１の構成情報は、該端末デバイスが無線時間周波数リソースの時間位置又は範囲を報告するように指示し、及び／又は、該端末デバイスが無線時間周波数リソースの周波数位置又は幅を報告するように指示し、及び／又は、該端末デバイスが無線時間周波数リソースの数を報告するように指示する。
【００８３】
方式四、
第２の構成情報が変更され、ここで、
該第２の構成情報は、該端末デバイスが無線時間周波数リソースの時間位置又は範囲を傍受するように指示し、及び／又は、該端末デバイスが無線時間周波数リソースの周波数位置又は幅を傍受するように指示し、及び／又は、該端末デバイスが無線時間周波数リソースの数を傍受するように指示する。
【００８４】
選択可能で、該第２の構成情報は、該端末デバイスが無線時間周波数リソースを傍受する重複周期を指示し、
及び／又は、該端末デバイスが無線時間周波数リソースを傍受する重複数を指示する。
【００８５】
方式五、
該ネットワークデバイスが該端末デバイスにより構成された送信リソースを禁止し又は非活性化し、又は、該ネットワークデバイスが該端末デバイスに新しい送信リソースを構成する。
【００８６】
そして、本願の実施例によるリソース報告方法では、端末デバイスがリソースを選択して傍受し、リソースを選択して報告することができるとともに、リソース傍受方式、リソース報告方式を柔軟に決定することができ、Ｒｅｌｅａｓｅ１５及びより高いリリースの通信の要求を満たすことができる。
【００８７】
図３は、本発明の実施例によるリソース報告方法３００の概略的なフローチャートである。方法３００は、任意選択で、図１に示されるシステムに適用され得るが、これに限定されない。方法３００は、以下のコンテンツの少なくとも一部を含む。
【００８８】
Ｓ３１０において、ネットワークデバイスが端末デバイスにより報告された端末間通信のための第１の無線時間周波数リソースの測定結果を受信し、ここで、該端末デバイスは、ネットワークスケジューリングによる端末間通信リソースモードをサポートする端末デバイスである。
【００８９】
任意選択で、該測定結果は、ＲＲＣシグナリング、ＭＡＣ ＣＥ、ＢＳＲ、物理上り制御チャネルのうちの少なくとも１つに搬送される。
【００９０】
任意選択で、該測定結果は、該第１の時間周波数リソースの時間周波数位置情報、リソース利用可能情報、ＲＳＲＰ情報、ＲＳＳＩ情報、ＲＳＲＱ情報のうちの少なくとも１つを含む。
【００９１】
具体的に、該第１の時間周波数リソースは、端末が対象サービスの周期及び時間オフセットに基づいて決定したものである。
【００９２】
Ｓ３２０において、該ネットワークデバイスは、該測定結果に基づいて、該端末デバイスの端末間通信のための無線時間周波数リソースをスケジューリングする。
【００９３】
任意選択で、該ネットワークデバイスが該端末デバイスにより報告された該測定結果を受信する前に、該方法は、さらに、
該ネットワークデバイスが該端末デバイスに第１の構成情報を送信することを含み、ここで、該第１の構成情報は、
該端末デバイスが無線時間周波数リソースの時間位置又は範囲を報告するように指示し、
及び／又は、該端末デバイスが無線時間周波数リソースの周波数位置又は幅を報告するように指示し、
及び／又は、該端末デバイスが無線時間周波数リソースの数を報告するように指示する。
【００９４】
任意選択で、該第１の構成情報は、第１のインデックスを含み、ここで、該第１のインデックスは、該端末デバイスが無線時間周波数リソースの時間位置又は範囲を報告するように指示する。
【００９５】
任意選択で、該測定結果は、該端末デバイスが第２の無線時間周波数リソースを傍受して取得したものである。
【００９６】
具体的に、該第２の無線時間周波数リソースは、該端末デバイスが対象サービスの周期と時間オフセットに基づいて決定したものである
任意選択で、該ネットワークデバイスが該端末デバイスにより報告された該測定結果を受信する前に、該方法は、さらに、
該ネットワークデバイスが該端末デバイスに第２の構成情報を送信することを含み、ここで、該第２の構成情報は、
該端末デバイスが無線時間周波数リソースの時間位置又は範囲を傍受するように指示し、
及び／又は、該端末デバイスが無線時間周波数リソースの周波数位置又は幅を傍受するように指示し、
及び／又は、該端末デバイスが無線時間周波数リソースの数を傍受するように指示する。
【００９７】
任意選択で、該ネットワークデバイスが該端末デバイスにより報告された該測定結果を受信する前に、該方法は、さらに、
該ネットワークデバイスが該端末デバイスに第２の構成情報を送信することを含み、ここで、該第２の構成情報は、
該端末デバイスが無線時間周波数リソースを傍受する重複周期を指示し、
及び／又は、該端末デバイスが無線時間周波数リソースを傍受する重複数を指示する。
【００９８】
任意選択で、該第２の構成情報は、第２のインデックスを含み、
該第２のインデックスは、該端末デバイスが無線時間周波数リソースの周波数位置又は幅を傍受するように指示する。
【００９９】
具体的に、該ネットワークデバイスは、以下の方式で、端末デバイスにより報告された該測定結果を受信する。
【０１００】
方式一、
該ネットワークデバイスは、該端末デバイスにより報告された該測定結果を周期的に受信する。
【０１０１】
任意選択で、報告の周期は、該ネットワークデバイスにより構成されたものである。
【０１０２】
任意選択で、報告の周期は、該端末デバイスにより構成されたものである。例えば、報告の周期は、該端末デバイスが対象サービスに基づいて決定したものである。
【０１０３】
方式二、
対象リソースの属性が変更される場合、該ネットワークデバイスは、該端末デバイスにより報告された該測定結果を受信する。
【０１０４】
任意選択で、該対象リソースは、該第１の無線時間周波数リソースである。
【０１０５】
任意選択で、該対象リソースは、該端末デバイスが該測定レポートを取得する時に傍受する無線時間周波数リソースである。
【０１０６】
方式三、
該ネットワークデバイスが該端末デバイスが無線時間周波数リソースを報告するようにスケジューリングする場合、該ネットワークデバイスは、該端末デバイスにより報告された該測定結果を受信する。
【０１０７】
方式四、
ランダムカウンタがタイムアウトする場合、該ネットワークデバイスが該端末デバイスにより報告された該測定結果を受信する。
【０１０８】
方式五、
サービスの属性が変更される場合、該ネットワークデバイスが該端末デバイスにより報告された該測定結果を受信する。
【０１０９】
具体的に、サービスの属性が変更されることは、新しいサービスを伝送すること、
及び／又は、既存のサービスの周期、時間オフセット、パケットの大きさ及び優先度のうちの少なくとも１つが変更されること、
及び／又は、既存のサービスが完了することを含む。
【０１１０】
具体的に、以下の方式で、該対象リソースの属性が変更されることを示す。
【０１１１】
方式一、
該対象リソースのＲＳＳが変更され、又は、該対象リソースのＲＳＲＰが変更され、又は、該対象リソースのＲＳＲＱが変更され、又は、該対象リソースが他の端末デバイスにより占用されることが変更される。
【０１１２】
方式二、
該対象リソースのうちの、第１の品質要求を満たすリソースの数が変更される。
【０１１３】
任意選択で、該第１の品質要求は、該対象リソースのＲＳＳＩ、又は、該対象リソースのＲＳＲＰ、又は、該対象リソースのＲＳＲＱ、又は該対象リソースが他の端末デバイスにより占用されることが第１の閾値を満たすことである。
【０１１４】
方式三、
第１の構成情報が変更され、ここで、
該第１の構成情報は、
該端末デバイスが無線時間周波数リソースの時間位置又は範囲を報告するように指示し、
及び／又は、該端末デバイスが無線時間周波数リソースの周波数位置又は幅を報告するように指示し、
及び／又は、該端末デバイスが無線時間周波数リソースの数を報告するように指示する。
【０１１５】
方式四、
第２の構成情報が変更され、ここで、
該第２の構成情報は、
該端末デバイスが無線時間周波数リソースの時間位置又は範囲を傍受するように指示し、
及び／又は、該端末デバイスが無線時間周波数リソースの周波数位置又は幅を傍受するように指示し、
及び／又は、該端末デバイスが無線時間周波数リソースの数を傍受するように指示する。
【０１１６】
任意選択で、該第２の構成情報は、
該端末デバイスが無線時間周波数リソースを傍受する重複周期を指示し、
及び／又は、該端末デバイスが無線時間周波数リソースを傍受する重複数を指示する。
【０１１７】
方式五、
該ネットワークデバイスが該端末デバイスにより構成された送信リソースを禁止し又は非活性化し、又は、該ネットワークデバイスが該端末デバイスに新しい送信リソースを構成する。
【０１１８】
そして、本願の実施例が提供するリソース報告方法では、ネットワークデバイスが、傍受リソース及び報告リソースを構成し、端末デバイスがリソースを選択して傍受し、リソースを選択して報告し、リソース傍受方式、リソース報告方式を柔軟に決定することができ、さらに、Ｒｅｌｅａｓｅ１５及びより高いリリースの通信の要求を満たすことができる。
【０１１９】
図４は本発明の実施例における端末デバイス４００のブロック図である。該端末デバイス４００は、通信ユニット４１０を含み、
通信ユニット４１０は、ネットワークデバイスに端末間通信のための第１の無線時間周波数リソースの測定結果を報告するように構成され、ここで、該端末デバイスは、ネットワークスケジューリングによる端末間通信リソースモードをサポートする端末デバイスである。
【０１２０】
任意選択で、該通信ユニット４１０が該ネットワークデバイスに該第１の無線時間周波数リソースの測定結果を報告する前に、該端末デバイス４００は、さらに、処理ユニット４２０を含み、
処理ユニット４２０は、該ネットワークデバイスにより構成された第１の構成情報に基づいて、該第１の無線時間周波数リソースを決定するように構成される。
【０１２１】
任意選択で、該第１の構成情報は、
該端末デバイスが無線時間周波数リソースの時間位置又は範囲を報告するように指示し、
及び／又は、該端末デバイスが無線時間周波数リソースの周波数位置又は幅を報告するように指示し、
及び／又は、該端末デバイスが無線時間周波数リソースの数を報告するように指示する。
【０１２２】
任意選択で、前記第１の構成情報は、第１のインデックスを含み、ここで、
前記第１のインデックスは、該端末デバイスが無線時間周波数リソースの時間位置又は範囲を報告するように指示する。
【０１２３】
任意選択で、該通信ユニット４１０が該ネットワークデバイスに該第１の無線時間周波数リソースの測定結果を報告する前に、該処理ユニット４２０は、さらに、該第１の無線時間周波数リソースを決定するように構成される。
【０１２４】
任意選択で、該処理ユニット４２０は、具体的に、
対象サービスに基づいて該第１の無線時間周波数リソースを決定するように構成される。
【０１２５】
任意選択で、該処理ユニット４２０は、具体的に、
対象サービスの周期及び時間オフセットに基づいて、前記第１の無線時間周波数リソースを決定するように構成される。
【０１２６】
任意選択で、該処理ユニット４２０は、具体的に、
該第１の無線時間周波数リソースの時間位置又は範囲を決定し、
及び／又は、該第１の無線時間周波数リソースの周波数位置又は幅を決定し、
及び／又は、該第１の無線時間周波数リソースの数を決定するように構成される。
【０１２７】
任意選択で、該通信ユニット４１０が該ネットワークデバイスに該第１の無線時間周波数リソースの測定結果を報告する前に、該処理ユニット４２０は、さらに、第２の無線時間周波数リソースを傍受して該測定結果を取得するように構成される。
【０１２８】
任意選択で、該処理ユニット４１０が該第２の無線時間周波数リソースを傍受して該測定結果を取得する前に、該処理ユニット４２０は、さらに、該ネットワークデバイスにより構成された第２の構成情報に基づいて、該第２の無線時間周波数リソースを決定するように構成される。
【０１２９】
任意選択で、該第２の構成情報は、
該端末デバイスが無線時間周波数リソースの時間位置又は範囲を傍受するように指示し、
及び／又は、該端末デバイスが無線時間周波数リソースの周波数位置又は幅を傍受するように指示し、
及び／又は、該端末デバイスが無線時間周波数リソースの数を傍受するように指示する。
【０１３０】
任意選択で、該第２の構成情報は、
該端末デバイスが無線時間周波数リソースを傍受する重複周期を指示し、
及び／又は、該端末デバイスが無線時間周波数リソースを傍受する重複数を指示する。
【０１３１】
任意選択で、該第２の構成情報は、第２のインデックスを含み、
前記第２のインデックスは、該端末デバイスが無線時間周波数リソースの時間位置又は範囲を傍受するように指示する。
【０１３２】
任意選択で、該処理ユニット４２０が該第２の無線時間周波数リソースを傍受して該測定結果を取得する前に、該処理ユニット４２０は、さらに、該第２の無線時間周波数リソースを決定するように構成される。
【０１３３】
任意選択で、該処理ユニット４２０は、具体的に、
対象サービスに基づいて該第２の無線時間周波数リソースを決定するように構成される。
【０１３４】
任意選択で、該処理ユニット４２０は、具体的に、
対象サービスの周期及び時間オフセットに基づいて、第２の無線時間周波数リソースを決定するように構成される。
【０１３５】
任意選択で、該処理ユニット４２０は、具体的に、
該第２の無線時間周波数リソースの時間位置又は範囲を決定し、
及び／又は、該第２の無線時間周波数リソースの周波数位置又は幅を決定し、
及び／又は、該第２の無線時間周波数リソースの数を決定するように構成される。
【０１３６】
任意選択で、該処理ユニット４２０は、具体的に、
該第２の無線時間周波数リソースの時間位置又は範囲を決定し、
及び／又は、該第２の無線時間周波数リソースの重複周期を決定し、
及び／又は、該第２の無線時間周波数リソースの重複数を決定するように構成される。
【０１３７】
任意選択で、該処理ユニット４２０は、具体的に、
該第２の無線時間周波数リソースを周期的に傍受して該測定結果を取得するように構成される。
【０１３８】
任意選択で、傍受の周期は、該ネットワークデバイスにより構成されたものである。
【０１３９】
任意選択で、傍受の周期は、該端末デバイスにより決定されたものである。
【０１４０】
任意選択で、該傍受の周期が該端末デバイスにより決定されたものであることは、
傍受の周期は、該端末デバイスが対象サービスに基づいて決定したものであることである。
【０１４１】
任意選択で、該処理ユニット４２０は、具体的に、
対象リソースの属性が変更される場合、該第２の無線時間周波数リソースを傍受して該測定結果を取得するように構成される。
【０１４２】
サービスの属性が変更されることは、新しいサービスを伝送すること、
及び／又は、既存のサービスの周期、時間オフセット、パケットの大きさ及び優先度のうちの少なくとも１つが変更されること、
及び／又は、既存のサービスが完了することを含む。
【０１４３】
任意選択で、該処理ユニット４２０は、具体的に、
対象リソースの属性が変更される場合、該第２の無線時間周波数リソースを傍受して該測定結果を取得するように構成される。
【０１４４】
任意選択で、該処理ユニット４２０は、具体的に、
該ネットワークデバイスが該端末デバイスが無線時間周波数リソースを傍受するようにスケジューリングする場合、該第２の無線時間周波数リソースを傍受して該測定結果を取得するように構成される。
【０１４５】
任意選択で、該処理ユニット４２０は、具体的に、
ランダムカウンタがタイムアウトする場合、該端末デバイスが該第２の無線時間周波数リソースを傍受して、該測定結果を取得するように構成される。
【０１４６】
任意選択で、該通信ユニット４１０は、具体的に、
該ネットワークデバイスに該第１の無線時間周波数リソースの測定結果を周期的に報告するように構成される。
【０１４７】
任意選択で、報告の周期は、該ネットワークデバイスにより構成されたものである。
【０１４８】
任意選択で、報告の周期は、該端末デバイスにより構成されたものである。
【０１４９】
任意選択で、該報告の周期が該端末デバイスにより構成されたものであることは、
報告の周期は、該端末デバイスが対象サービスに基づいて決定したものであることを含む。
【０１５０】
任意選択で、該通信ユニット４１０は、具体的に、
対象リソースの属性が変更される場合、該ネットワークデバイスに該第１の無線時間周波数リソースの測定結果を報告するように構成される。
【０１５１】
任意選択で、該対象リソースは、該第１の無線時間周波数リソースである。
【０１５２】
任意選択で、該対象リソースは、該端末デバイスが該測定レポートを取得する時に傍受する無線時間周波数リソースである。
【０１５３】
任意選択で、該対象リソースの属性が変更されることは、
該対象リソースのＲＳＳが変更され、又は、該対象リソースのＲＳＲＰが変更され、又は、該対象リソースのＲＳＲＱが変更され、又は、該対象リソースが他の端末デバイスにより占用されることが変更されることを含む。
【０１５４】
任意選択で、該対象リソースの属性が変更されることは、
該対象リソースのうちの、第１の品質要求を満たすリソースの数が変更されることを含む。
【０１５５】
任意選択で、該第１の品質要求は、該対象リソースのＲＳＳＩ、又は、該対象リソースのＲＳＲＰ、又は、該対象リソースのＲＳＲＱ、又は該対象リソースが他の端末デバイスにより占用されることが第１の閾値を満たすことである。
【０１５６】
任意選択で、該対象リソースの属性が変更されることは、
第１の構成情報が変更されることを含み、ここで、
該第１の構成情報は、
該端末デバイスが無線時間周波数リソースの時間位置又は範囲を報告するように指示し、
及び／又は、該端末デバイスが無線時間周波数リソースの周波数位置又は幅を報告するように指示し、
及び／又は、該端末デバイスが無線時間周波数リソースの数を報告するように指示する。
【０１５７】
任意選択で、該対象リソースの属性が変更されることは、
第２の構成情報が変更されることを含み、ここで、
該第２の構成情報は、
該端末デバイスが無線時間周波数リソースの時間位置又は範囲を傍受するように指示し、
及び／又は、該端末デバイスが無線時間周波数リソースの周波数位置又は幅を傍受するように指示し、
及び／又は、該端末デバイスが無線時間周波数リソースの数を傍受するように指示する。
【０１５８】
任意選択で、該対象リソースの属性が変更されることは、
第２の構成情報が変更されることを含み、ここで、
該第２の構成情報は、
該端末デバイスが無線時間周波数リソースを傍受する重複周期を指示し、
及び／又は、該端末デバイスが無線時間周波数リソースを傍受する重複数を指示する。
【０１５９】
任意選択で、該対象リソースの属性が変更されることは、
該ネットワークデバイスが該端末デバイスにより構成された送信リソースを禁止し又は非活性化し、又は、該ネットワークデバイスが該端末デバイスに新しい送信リソースを構成することを含む。
【０１６０】
任意選択で、該端末デバイスがネットワークデバイスに端末間通信のための第１の無線時間周波数リソースの測定結果を報告することは、
該ネットワークデバイスが該端末デバイスが無線時間周波数リソースを報告するようにスケジューリングする場合、該端末デバイス該ネットワークデバイスに該第１の無線時間周波数リソースの測定結果を報告することを含む。
【０１６１】
任意選択で、該端末デバイスがネットワークデバイスに端末間通信のための第１の無線時間周波数リソースの測定結果を報告することは、
ランダムカウンタがタイムアウトする場合、該端末デバイス該ネットワークデバイスに該第１の無線時間周波数リソースの測定結果を報告することを含む。
【０１６２】
任意選択で、該測定結果は、ＲＲＣシグナリング、ＭＡＣ ＣＥ、ＢＳＲ、物理上り制御チャネルのうちの少なくとも１つに搬送される。
【０１６３】
任意選択で、該測定結果は、該第１の時間周波数リソースの時間周波数位置情報、リソース利用可能情報、ＲＳＲＰ情報、ＲＳＳＩ情報、ＲＳＲＱ情報のうちの少なくとも１つを含む。
【０１６４】
なお、この端末デバイス３００は、方法２００における端末デバイスに対応するものであってもよく、方法２００における端末デバイスによる各動作を実現し、簡潔のために、ここでは説明を省略する。
【０１６５】
図５は本願の実施例におけるネットワークデバイス５００のブロック図である。該ネットワークデバイス５００は、通信ユニット５１０及び処理ユニット５２０を含み、
通信ユニット５１０は、端末デバイスにより報告された端末間通信のための第１の無線時間周波数リソースの測定結果を受信するように構成され、ここで、該端末デバイスは、ネットワークスケジューリングによる端末間通信リソースモードをサポートする端末デバイスであり、
処理ユニット５２０は、該測定結果に基づいて、該端末デバイスの端末間通信のための無線時間周波数リソースをスケジューリングするように構成される。
【０１６６】
任意選択で、該通信ユニット５１０が該端末デバイスにより報告された該測定結果を受信する前に、該通信ユニット５１０は、さらに、該端末デバイスに第１の構成情報を送信するように構成され、ここで、該第１の構成情報は、
該端末デバイスが無線時間周波数リソースの時間位置又は範囲を報告するように指示し、
及び／又は、該端末デバイスが無線時間周波数リソースの周波数位置又は幅を報告するように指示し、
及び／又は、該端末デバイスが無線時間周波数リソースの数を報告するように指示する。
【０１６７】
任意選択で、前記第１の構成情報は、第１のインデックスを含み、
第１のインデックスは、該端末デバイスが無線時間周波数リソースの時間位置又は範囲を報告するように指示する。
【０１６８】
任意選択で、前記第１の無線時間周波数リソースは、端末デバイスが対象サービスの周期及び時間オフセットに基づいて決定したものである。
【０１６９】
任意選択で、該測定結果は、該端末デバイスが第２の無線時間周波数リソースを傍受して取得したものである。
【０１７０】
任意選択で、前記第２の無線時間周波数リソースは、端末デバイスが対象サービスの周期及び時間オフセットに基づいて決定したものである。
【０１７１】
任意選択で、該通信ユニット５１０が該端末デバイスにより報告された該測定結果を受信する前に、該通信ユニット５１０は、さらに、該端末デバイスに第２の構成情報を送信するように構成され、ここで、該第２の構成情報は、
該端末デバイスが無線時間周波数リソースの時間位置又は範囲を報告するように指示し、
及び／又は、該端末デバイスが無線時間周波数リソースの周波数位置又は幅を報告するように指示し、
及び／又は、該端末デバイスが無線時間周波数リソースの数を報告するように指示する。
【０１７２】
任意選択で、該通信ユニット５１０が該端末デバイスにより報告された該測定結果を受信する前に、該通信ユニット５１０は、さらに、該端末デバイスに第２の構成情報を送信するように構成され、ここで、該第２の構成情報は、
該端末デバイスが無線時間周波数リソースを傍受する重複周期を指示し、
及び／又は、該端末デバイスが無線時間周波数リソースを傍受する重複数を指示する。
【０１７３】
任意選択で、前記第２の構成情報は、第２のインデックスを含み、
前記第２のインデックスは、該端末デバイスが無線時間周波数リソースの時間位置又は範囲を報告するように指示する。
【０１７４】
任意選択で、該通信ユニット５１０は、具体的に、
該端末デバイスにより報告された該測定結果を周期的に受信するように構成される。
【０１７５】
任意選択で、報告の周期は、該ネットワークデバイスにより構成されたものである。
【０１７６】
任意選択で、報告の周期は、該端末デバイスにより構成されたものである。
【０１７７】
任意選択で、該報告の周期が該端末デバイスにより構成されたものであることは、
報告の周期は、該端末デバイスが対象サービスに基づいて決定したものであることを含む。
【０１７８】
任意選択で、該通信ユニット５１０は、具体的に、
対象リソースの属性が変更される場合、該端末デバイスにより報告された該測定結果を受信するように構成される。
【０１７９】
サービスの属性が変更されることは、新しいサービスを伝送すること、
及び／又は、既存のサービスの周期、時間オフセット、パケットの大きさ及び優先度のうちの少なくとも１つが変更されること、
及び／又は、既存のサービスが完了することを含む。
【０１８０】
任意選択で、該通信ユニット５１０は、具体的に、
対象リソースの属性が変更される場合、該端末デバイスにより報告された該測定結果を受信するように構成される。
【０１８１】
任意選択で、該対象リソースは、該第１の無線時間周波数リソースである。
【０１８２】
任意選択で、該対象リソースは、該端末デバイスが該測定レポートを取得する時に傍受する無線時間周波数リソースである。
【０１８３】
任意選択で、該対象リソースの属性が変更されることは、
該対象リソースのＲＳＳが変更され、又は、該対象リソースのＲＳＲＰが変更され、又は、該対象リソースのＲＳＲＱが変更され、又は、該対象リソースが他の端末デバイスにより占用されることが変更される。
【０１８４】
任意選択で、該対象リソースの属性が変更されることは、
該対象リソースのうちの、第１の品質要求を満たすリソースの数が変更されることを含む。
【０１８５】
任意選択で、該第１の品質要求は、該対象リソースのＲＳＳＩ、又は、該対象リソースのＲＳＲＰ、又は、該対象リソースのＲＳＲＱ、又は該対象リソースが他の端末デバイスにより占用されることが第１の閾値を満たすことである。
【０１８６】
任意選択で、該対象リソースの属性が変更されることは、
第１の構成情報が変更されることを含み、ここで、
該第１の構成情報は、
該端末デバイスが無線時間周波数リソースの時間位置又は範囲を報告するように指示し、
及び／又は、該端末デバイスが無線時間周波数リソースの周波数位置又は幅を報告するように指示し、
及び／又は、該端末デバイスが無線時間周波数リソースの数を報告するように指示する。
【０１８７】
任意選択で、該対象リソースの属性が変更されることは、
第２の構成情報が変更されることを含み、ここで、
該第２の構成情報は、
該端末デバイスが無線時間周波数リソースの時間位置又は範囲を傍受するように指示し、
及び／又は、該端末デバイスが無線時間周波数リソースの周波数位置又は幅を傍受するように指示し、
及び／又は、該端末デバイスが無線時間周波数リソースの数を傍受するように指示する。
【０１８８】
任意選択で、該対象リソースの属性が変更されることは、
第２の構成情報が変更されることを含み、ここで、
該第２の構成情報は、
該端末デバイスが無線時間周波数リソースを傍受する重複周期を指示し、
及び／又は、該端末デバイスが無線時間周波数リソースを傍受する重複数を指示する。
【０１８９】
任意選択で、該対象リソースの属性が変更されることは、
該ネットワークデバイスが該端末デバイスにより構成された送信リソースを禁止し又は非活性化し、又は、該ネットワークデバイスが該端末デバイスに新しい送信リソースを構成することを含む。
【０１９０】
任意選択で、該通信ユニット５１０は、具体的に、
該ネットワークデバイスが該端末デバイスが無線時間周波数リソースを報告するようにスケジューリングする場合、該端末デバイスにより報告された該測定結果を受信するように構成される。
【０１９１】
任意選択で、該通信ユニット５１０は、具体的に、
ランダムカウンタがタイムアウトする場合、該端末デバイスにより報告された該測定結果を受信するように構成される。
【０１９２】
任意選択で、該測定結果は、ＲＲＣシグナリング、ＭＡＣ ＣＥ、ＢＳＲ、物理上り制御チャネルのうちの少なくとも１つに搬送される。
【０１９３】
任意選択で、該測定結果は、該第１の時間周波数リソースの時間周波数位置情報、リソース利用可能情報、ＲＳＲＰ情報、ＲＳＳＩ情報、ＲＳＲＱ情報のうちの少なくとも１つを含む。
【０１９４】
なお、このネットワークデバイス５００は、方法３００におけるネットワークデバイスに対応してもよく、方法３００におけるネットワークデバイス実装の対応する動作が実装されてもよく、簡潔にするために、ここで説明を省略する。
【０１９５】
図６は、本発明の実施例に係る通信デバイス６００の概略構成図である。図８に示す通信デバイス６００は、メモリからコンピュータプログラムを呼び出して実行することにより、本願の実施例における方法を実現するプロセッサ６１０を有する。
【０１９６】
任意選択で、図６に示されるように、通信デバイス６００は、メモリ６２０をさらに含み得る。プロセッサ６１０は、メモリ６２０からコンピュータプログラムを呼び出して実行することにより、本願の実施形態における方法を実施する。
【０１９７】
ここで、メモリ６２０は、プロセッサ６１０とは独立した１つの別個の部品であってもよく、プロセッサ６１０に集積されてもよい。
【０１９８】
任意選択で、図６に示すように、通信デバイス６００は、プロセッサ６１０が他のデバイスと通信するように制御することができる、具体的には、他のデバイスに情報又はデータを送信するか、又は他のデバイスによって送信された情報又はデータを受信することができる、送受信機６３０を更に含むことができる。
【０１９９】
送受信機６３０は、送信機および受信機を含み得る。送受信機６３０は、１つ以上の数のアンテナをさらに含むことができる。
【０２００】
任意選択で、通信デバイス６００は、特に、本願の実施形態のネットワークデバイスであってもよく、通信デバイス６００は、本願の実施形態の様々な方法においてネットワークデバイスにより実施される対応するフローを実施してもよく、簡潔性のために、ここで説明を省略する。
【０２０１】
任意選択で、通信デバイス６００は、特に、本願の実施例の移動端末/端末デバイスであってもよく、通信デバイス６００は、本願の実施例の各方法において移動端末/端末デバイスにより実現される対応するフローを実現してもよく、簡潔のために、ここでは詳しい説明を省略する。
【０２０２】
図７は、本願の実施例におけるチップの概略構成図である。図７に示されるチップ７００は、メモリからコンピュータプログラムを呼び出して実行することにより、本願の実施形態における方法を実行することができるプロセッサ７１０を含む。
【０２０３】
任意選択で、図７に示されるように、チップ７００は、メモリ７２０をさらに含むことができる。プロセッサ７１０は、メモリ７２０からコンピュータプログラムを呼び出して実行することにより、本願の実施形態における方法を実現することができる。
【０２０４】
ここで、メモリ７２０は、プロセッサ７１０とは独立した別個の部品であってもよく、プロセッサ７１０に集積されていてもよい。
【０２０５】
任意選択で、チップ７００は、入力インターフェース７３０をさらに含むことができる。プロセッサ７１０は、入力インターフェース７３０を制御して他のデバイスまたはチップと通信してもよく、具体的には、他のデバイスまたはチップによって送信された情報またはデータを取得してもよい。
【０２０６】
任意選択で、チップ７００は、出力インターフェース７４０をさらに含み得る。プロセッサ７１０は、出力インターフェース７４０を制御して、他のデバイス又はチップと通信してもよく、具体的には、他のデバイス又はチップに情報又はデータを出力してもよい。
【０２０７】
任意選択で、チップは、本願の実施形態におけるネットワークデバイスに適用されてもよく、チップは、本願の実施形態の様々な方法においてネットワークデバイスによって実施される対応するフローを実施してもよく、簡潔にするためにここでは詳しい説明を省略する。
【０２０８】
任意選択で、チップは、本願の実施形態における移動端末/端末デバイスに適用されてもよく、チップは、本願の実施形態の様々な方法における移動端末/端末デバイスによって実施される対応するフローを実施してもよく、簡潔さのためにここで説明を省略する。
【０２０９】
本願の実施形態で言及されるチップは、システムオンチップ、チップシステム、またはシステムオンチップなどと呼ばれることもあることを理解されたい。
【０２１０】
図８は、本開示の実施形態によって提供される通信システム８００の概略ブロック図である。図８に示すように、通信システム８００は、端末デバイス８１０と、ネットワークデバイス８２０とを備える。
【０２１１】
ここで、該端末デバイス８１０は、上記方法において端末デバイスによって実現されるそれぞれの機能を実現するために使用されてもよく、該ネットワークデバイス８２０は、上記方法においてネットワークデバイスによって実現されるそれぞれの機能を実現するために使用されてもよく、簡潔にするために、ここでは詳しい説明を省略する。
【０２１２】
本願の実施形態のプロセッサは、信号の処理能力を有する集積回路チップであり得ることが理解される。実施において、上述した方法の実施形態のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０２１３】
本発明の実施形態におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ ）、シンクロナスダイナミックランダムアクセスメモリ（ Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ ）、エンハンスメント型シンクロナスダイナミックランダムアクセスメモリ( Ｅｎｈａｎｃｅｄ ＳＤＲＡＭ、ＥＳＤＲＡＭ ）、シンクロナス接続ダイナミックランダムアクセスメモリ（ Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０２１４】
上述のメモリは、限定ではなく例示的であるが、例えば、本願の実施形態におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ ）、拡張同期ダイナミックランダムａクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ ）、及びダイレクトメモリバスランダムアクセスメモリ（ Ｄｉｒｅｃｔ  Ｒａｍｂｕｓ  ＲＡＭ、ＤＲ ＲＡＭ )等であってもよいことが理解されるべきである。すなわち、本願の実施形態におけるメモリは、これら及び任意の他の適切なタイプのメモリを含むことを意図しているが、これらに限定されない。
【０２１５】
本発明の実施形態は、コンピュータプログラムを記憶するためのコンピュータ可読記憶媒体をさらに提供する。
【０２１６】
任意選択で、コンピュータ可読記憶媒体は、本願の実施例におけるネットワークデバイスに適用されてもよく、コンピュータプログラムは、コンピュータに、本願の実施例の各方法においてネットワークデバイスによって実施される対応するフローを実行させる。
【０２１７】
或いは、コンピュータ読み取り可能な記憶媒体は、本願の実施例における移動端末/端末デバイスに適用されてもよく、コンピュータプログラムは、コンピュータに、本願の実施例の各方法における移動端末/端末デバイスによって実現される対応するフローを実行させるが、簡潔にするために、ここでは詳しい説明は省略する。
【０２１８】
本願の実施形態は、コンピュータプログラム命令を含むコンピュータプログラム製品も提供する。
【０２１９】
任意選択で、コンピュータプログラム製品は、本願の実施形態におけるネットワークデバイスに適用されてもよく、コンピュータプログラム命令は、コンピュータに、本願の実施形態の各方法においてネットワークデバイスによって実施される対応するフローを実行させる。
【０２２０】
任意選択で、コンピュータプログラム製品は、本願の実施形態における移動端末/端末デバイスに適用されてもよく、コンピュータプログラム命令は、コンピュータに、本願の実施形態の各方法における移動端末/端末デバイスによって実施される対応するフローを実行させる。
【０２２１】
本発明の実施形態は、コンピュータプログラムをさらに提供する。
【０２２２】
任意選択的に、コンピュータプログラムは、本願の実施例におけるネットワークデバイスに適用されてもよく、コンピュータプログラムがコンピュータ上で実行される場合、コンピュータに、本願の実施例の各方法においてネットワークデバイスによって実現される対応するフローを実行させ、簡潔のために、ここでは繰り返し説明しない。
【０２２３】
本発明の実施例に係る移動端末機にコンピュータプログラムを適用し、コンピュータプログラムがコンピュータ上で実行される場合、コンピュータに、本発明の実施例に係る各方法のうち移動端末機で実現される対応する工程を実行させてもよく、これについての説明は省略する。
【０２２４】
上記実施形態において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ又は複数のコンピュータ命令を含む。コンピュータプログラム命令は、コンピュータ上でロードされ実行されると、本願の実施形態に記載のフロー又は機能を全体的に又は部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、ウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( DSL ) )、または無線(例えば、赤外線、無線、マイクロ波など)によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ )、又は半導体媒体(例えば、ソリッドステートドライブＳｏｌｉｄ Ｓｔａｔｅ Ｄｉｓｋ （ ＳＳＤ ) )などであってもよい。
【０２２５】
本発明の様々な実施形態において、上述のプロセスの順序のサイズは、実行順序の先後を意味するものではなく、各プロセスの実行順序は、その機能及び内部ロジックにおいて決定されるべきであり、本発明の実施形態のプロセスを何ら限定するものではないことを理解されたい。
【０２２６】
当業者であれば、説明の便宜及び簡潔にするために、上記に説明されたシステム、装置及びユニットの具体的な動作プロセスは、前述の方法の実施形態における対応するプロセスを参照してもよく、ここでその説明が省略されることを理解するであろう。
【０２２７】
以上の説明は、本発明の特定の実施形態にすぎず、本発明の保護範囲は、これに限定されるものではなく、本発明の技術分野における通常の知識を有する者であれば、本発明の技術的範囲内で容易に変形や置換を想到できるものであり、それらも本発明の保護範囲に包含されるものである。したがって、本発明の保護範囲は、特許請求の範囲の保護範囲に準ずるものとする。
【図１】
2021516003.tif 000003
【図２】
2021516003.tif 000004
【図３】
2021516003.tif 000005
【図４】
2021516003.tif 000006
【図５】
2021516003.tif 000007
【図６】
2021516003.tif 000008
【図７】
2021516003.tif 000009
【図８】
2021516003.tif 000010
【国際調査報告】
2021516003.tif 000011
2021516003.tif 000012
2021516003.tif 000013
2021516003.tif 000014